(57)【要約】【課題】本発明は、発光装置及びこれを備えた表示装置に関する。【解決手段】発光装置は、複数の単位発光領域を含む基板と、上記基板上に提供され、第１方向に第１端部と第２端部を有する少なくとも１つの第１発光素子と、上記第１方向と交差する第２方向に第１端部と第２端部を有する少なくとも１つの第２発光素子と、上記第１及び第２発光素子のそれぞれの第１及び第２端部の何れか１つに連結された第１電極と残り１つに連結された第２電極と、上記基板上において上記第２方向に沿って延長され、上記第１電極に連結された第１整列配線と、上記第１整列配線と一定間隔離隔され、上記第２電極に連結された第２整列配線と、を含んでもよい。【選択図】図３
2021529999.tif 000002
【特許請求の範囲】
【請求項１】
複数の単位発光領域を含む基板と、
前記基板上に提供され、第１方向に第１端部と第２端部を有する少なくとも１つの第１発光素子と、
前記第１方向と交差する第２方向に第１端部と第２端部を有する少なくとも１つの第２発光素子と、
前記第１及び第２発光素子のそれぞれの第１及び第２端部の何れか１つに連結された第１電極と残り１つに連結された第２電極と、
前記基板上において前記第２方向に沿って延長され、前記第１電極に連結された第１整列配線と、
前記第１整列配線と一定間隔離隔され、前記第２電極に連結された第２整列配線と、を含むことを特徴とする発光装置。
【請求項２】
各単位発光領域は、前記第１発光素子が提供される第１サブ発光領域と前記第２発光素子が提供される第２サブ発光領域を含むことを特徴とする請求項１に記載の発光装置。
【請求項３】
前記第１電極は、前記第１サブ発光領域に提供された第１−１電極と前記第２サブ発光領域に提供された第１−２電極を含み、
前記第２電極は、前記第１サブ発光領域に提供された第２−１電極と前記第２サブ発光領域に提供された第２−２電極を含むことを特徴とする請求項２に記載の発光装置。
【請求項４】
平面上で見たとき、前記第１−１電極と前記第２−１電極は前記第２方向に沿って延長され、
平面上で見たとき、前記第１−２電極と前記第２−２電極は前記第１方向に沿って延長されることを特徴とする請求項３に記載の発光装置。
【請求項５】
前記第１−１電極と前記第２−１電極の間の間隔は、前記第１−２電極と前記第２−２電極の間の間隔と同じであることを特徴とする請求項４に記載の発光装置。
【請求項６】
前記基板上において前記第１方向に延長され、前記第１整列配線と前記第１電極を電気的に連結する第１連結配線と、
前記基板上において前記第１連結配線と平行に延長され、前記第２整列配線と前記第２電極を電気的に連結する第２連結配線と、をさらに含むことを特徴とする請求項５に記載の発光装置。
【請求項７】
前記第１−１電極は前記第１連結配線から前記第２方向に沿って前記第１サブ発光領域に分岐され、
前記第２−１電極は前記第２連結配線から前記第２方向に沿って前記第１サブ発光領域に分岐され、
前記第１−１電極と前記第２−１電極は前記第１サブ発光領域において前記第１方向に沿って交互に配置されることを特徴とする請求項６に記載の発光装置。
【請求項８】
前記第１−２電極は前記第１整列配線から前記第１方向に沿って前記第２サブ発光領域に分岐され、
前記第２−２電極は前記第２整列配線から前記第１方向に沿って前記第２サブ発光領域に分岐され、
前記第１−２電極と前記第２−２電極は前記第２サブ発光領域において前記第２方向に沿って交互に配置されることを特徴とする請求項６に記載の発光装置。
【請求項９】
前記第１連結配線は前記第１整列配線に連結された一側端部と前記一側端部に対向する他側端部を含み、
前記他側端部は丸い形状であることを特徴とする請求項６に記載の発光装置。
【請求項１０】
前記第１−２及び第２−２電極のうち前記第２サブ発光領域の最上側に配置された１つの電極と前記第１連結配線の間の間隔は、前記第１−２電極と前記第２−２電極の間の間隔より大きいことを特徴とする請求項６に記載の発光装置。
【請求項１１】
前記基板と前記第１電極の間に提供される第１隔壁と、
前記基板と前記第２電極の間に提供され、前記第１隔壁と一定間隔離隔された第２隔壁と、
前記第１電極上に提供され、対応する発光素子の第１及び第２端部の何れか１つの端部と前記第１電極を連結する第１コンタクト電極と、
前記第２電極上に提供され、前記対応する発光素子の残り１つの端部と前記第２電極を連結する第２コンタクト電極と、をさらに含むことを特徴とする請求項２に記載の発光装置。
【請求項１２】
前記基板と前記第１及び第２発光素子の間に配置された第１絶縁層と、
前記第１及び第２発光素子上に提供され、前記第１及び第２発光素子のそれぞれの第１及び第２端部を露出させる第２絶縁層と、
前記第１コンタクト電極上に提供されて前記第１コンタクト電極をカバーする第３絶縁層と、
前記第２コンタクト電極上に提供されて前記第２コンタクト電極をカバーする第４絶縁層と、をさらに含むことを特徴とする請求項１１に記載の発光装置。
【請求項１３】
平面上で見たとき、前記第１整列配線の一部と重畳する第１絶縁パターンと前記第２整列配線の一部と重畳する第２絶縁パターンをさらに含み、
前記第１及び第２絶縁パターンは前記第１絶縁層と同じ層に提供され、前記第１及び第２電極の間に形成される電界の一部を遮蔽させることを特徴とする請求項１２に記載の発光装置。
【請求項１４】
前記第１絶縁パターン上に提供された第１導電パターン及び前記第２絶縁パターン上に提供された第２導電パターンをさらに含み、
前記第１及び第２導電パターンは前記第１コンタクト電極と同じ層に提供されることを特徴とする請求項１３に記載の発光装置。
【請求項１５】
前記第１整列配線は前記第１電極と同じ層に提供され、前記第１電極と一体で提供され、
前記第２整列配線は前記第２電極と同じ層に提供され、前記第２電極と一体で提供されることを特徴とする請求項１に記載の発光装置。
【請求項１６】
前記第１電極は前記第１整列配線から前記第１方向に沿って突出した複数個の枝電極を含み、
前記第２電極は前記第２方向に沿って配列された複数個の突出電極及び隣接する突出電極の間に提供された複数個の空洞を含み、
前記枝電極のそれぞれは１つの空洞に対応するように提供されることを特徴とする請求項１５に記載の発光装置。
【請求項１７】
前記第１電極と前記第２電極は電気的に分離され、前記第１及び第２電極のうち１つの電極は他の１つの電極の周りを取り囲む形状であることを特徴とする請求項１に記載の発光装置。
【請求項１８】
前記第１及び第２発光素子のそれぞれは、
第１導電性ドーパントがドープされた第１導電性半導体層と、
第２導電性ドーパントがドープされた第２導電性半導体層と、
前記第１導電性半導体層と前記第２導電性半導体層の間に提供された活性層と、を含むことを特徴とする請求項１７に記載の発光装置。
【請求項１９】
前記第１及び第２発光素子のそれぞれは、マイクロスケールまたはナノスケールを有する円柱状あるいは多角柱状の発光ダイオードを含むことを特徴とする請求項１８に記載の発光装置。
【請求項２０】
表示領域及び非表示領域を含む基板と、
前記表示領域に提供され、少なくとも１つのトランジスタを含む画素回路部と、
前記画素回路部上に提供され、光が出射される複数の単位発光領域を備える表示素子層と、を含み、
前記表示素子層は、
前記画素回路部上に提供され、第１方向に第１端部と第２端部を有する少なくとも１つの第１発光素子と、
前記第１方向と交差する第２方向に第１端部と第２端部を有する少なくとも１つの第２発光素子と、
前記画素回路部上に提供され、前記第１及び第２発光素子のそれぞれの第１及び第２端部の何れか１つに連結された第１電極と、残り１つに連結された第２電極と、
前記画素回路部上において前記第２方向に沿って延長され、前記第１電極に連結された第１整列配線と、
前記第１整列配線と一定間隔離隔され、前記第２電極に連結された第２整列配線と、
前記第１電極上に提供され、対応する発光素子の第１及び第２端部の何れか１つの端部と前記第１電極を連結する第１コンタクト電極と、
前記第２電極上に提供され、前記対応する発光素子の残り１つの端部と前記第２電極を連結する第２コンタクト電極と、を含むことを特徴とする表示装置。
【発明の詳細な説明】
【技術分野】
【０００１】
本発明は、発光装置及びこれを備えた表示装置に関する。
【背景技術】
【０００２】
発光ダイオード（Ｌｉｇｈｔ  Ｅｍｉｔｔｉｎｇ  Ｄｉｏｄｅ、以下、ＬＥＤという）は、劣悪な環境条件下でも比較的良好な耐久性を示し、寿命及び輝度の側面でも優れた性能を有する。最近では、このような発光ダイオードを様々な表示装置に適用するための研究が活発に行われている。
【０００３】
当該研究の一環として、無機結晶構造、例えば、窒化物系半導体を成長させた構造を利用してマイクロスケールまたはナノスケール程度に小さい超小型棒状発光ダイオードを製作する技術が開発されている。例えば、棒状発光ダイオードは自発光表示装置の画素などを構成することができる程度に小さいサイズに製作されることができる。
【発明の概要】
【発明が解決しようとする課題】
【０００４】
本発明は、棒状発光ダイオードを含む発光装置及びこれを備えた表示装置を提供することに目的がある。
【課題を解決するための手段】
【０００５】
本発明の一実施例による発光装置は、複数の単位発光領域を含む基板と、上記基板上に提供され、第１方向に第１端部と第２端部を有する少なくとも１つの第１発光素子と、上記第１方向と交差する第２方向に第１端部と第２端部を有する少なくとも１つの第２発光素子と、上記第１及び第２発光素子のそれぞれの第１及び第２端部の何れか１つに連結された第１電極と残り１つに連結された第２電極と、上記基板上において上記第２方向に沿って延長され、上記第１電極に連結された第１整列配線と、上記第１整列配線と一定間隔離隔され、上記第２電極に連結された第２整列配線と、を含んでもよい。
【０００６】
本発明の一実施例によると、各単位発光領域は、上記第１発光素子が提供される第１サブ発光領域と上記第２発光素子が提供される第２サブ発光領域を含んでもよい。
【０００７】
本発明の一実施例によると、上記第１電極は、上記第１サブ発光領域に提供された第１−１電極と上記第２サブ発光領域に提供された第１−２電極を含んでもよい。上記第２電極は、上記第１サブ発光領域に提供された第２−１電極と上記第２サブ発光領域に提供された第２−２電極を含んでもよい。
【０００８】
本発明の一実施例によると、平面上で見たとき、上記第１−１電極と上記第２−１電極は上記第２方向に沿って延長されてもよい。平面上で見たとき、上記第１−２電極と上記第２−２電極は上記第１方向に沿って延長されてもよい。
【０００９】
本発明の一実施例によると、上記第１−１電極と上記第２−１電極の間の間隔は、上記第１−２電極と上記第２−２電極の間の間隔と同じであってもよい。
【００１０】
本発明の一実施例によると、上記発光装置は、上記基板上において上記第１方向に延長され、上記第１整列配線と上記第１電極を電気的に連結する第１連結配線と、上記基板上において上記第１連結配線と平行に延長され、上記第２整列配線と上記第２電極を電気的に連結する第２連結配線と、をさらに含んでもよい。
【００１１】
本発明の一実施例によると、上記第１−１電極は上記第１連結配線から上記第２方向に沿って上記第１サブ発光領域に分岐され、上記第２−１電極は上記第２連結配線から上記第２方向に沿って上記第１サブ発光領域に分岐され、上記第１−１電極と上記第２−１電極は上記第１サブ発光領域において上記第１方向に沿って交互に配置されてもよい。
【００１２】
本発明の一実施例によると、上記第１−２電極は上記第１整列配線から上記第１方向に沿って上記第２サブ発光領域に分岐され、上記第２−２電極は上記第２整列配線から上記第１方向に沿って上記第２サブ発光領域に分岐され、上記第１−２電極と上記第２−２電極は上記第２サブ発光領域において上記第２方向に沿って交互に配置されてもよい。
【００１３】
本発明の一実施例によると、上記第１連結配線は上記第１整列配線に連結された一側端部と上記一側端部に対向する他側端部を含んでもよい。上記他側端部は丸い形状であってもよい。
【００１４】
本発明の一実施例によると、上記第１−２及び第２−２電極のうち上記第２サブ発光領域の最上側に配置された１つの電極と上記第１連結配線の間の間隔は、上記第１−２電極と上記第２−２電極の間の間隔より大きくてもよい。
【００１５】
本発明の一実施例によると、上記発光装置は、上記基板と上記第１電極の間に提供される第１隔壁と、上記基板と上記第２電極の間に提供され、上記第１隔壁と一定間隔離隔された第２隔壁と、上記第１電極上に提供され、対応する発光素子の第１及び第２端部の何れか１つの端部と上記第１電極を連結する第１コンタクト電極と、上記第２電極上に提供され、上記対応する発光素子の残り１つの端部と上記第２電極を連結する第２コンタクト電極と、をさらに含んでもよい。
【００１６】
本発明の一実施例によると、上記発光装置は、上記基板と上記第１及び第２発光素子の間に配置された第１絶縁層と、上記第１及び第２発光素子上に提供され、上記第１及び第２発光素子のそれぞれの第１及び第２端部を露出させる第２絶縁層と、上記第１コンタクト電極上に提供されて上記第１コンタクト電極をカバーする第３絶縁層と、上記第２コンタクト電極上に提供されて上記第２コンタクト電極をカバーする第４絶縁層と、をさらに含んでもよい。
【００１７】
本発明の一実施例によると、上記発光装置は、平面上で見たとき、上記第１整列配線の一部と重畳する第１絶縁パターンと上記第２整列配線の一部と重畳する第２絶縁パターンをさらに含んでもよい。上記第１及び第２絶縁パターンは上記第１絶縁層と同じ層に提供され、上記第１及び第２電極の間に形成される電界の一部を遮蔽させてもよい。
【００１８】
本発明の一実施例によると、上記発光装置は、上記第１絶縁パターン上に提供された第１導電パターン及び上記第２絶縁パターン上に提供された第２導電パターンをさらに含んでもよい。上記第１及び第２導電パターンは上記第１コンタクト電極と同じ層に提供されてもよい。
【００１９】
本発明の一実施例によると、上記第１整列配線は上記第１電極と同じ層に提供され、上記第１電極と一体で提供され、上記第２整列配線は上記第２電極と同じ層に提供され、上記第２電極と一体で提供されてもよい。
【００２０】
本発明の一実施例によると、上記第１電極は上記第１整列配線から上記第１方向に沿って突出した複数個の枝電極を含み、上記第２電極は上記第２方向に沿って配列された複数個の突出電極及び隣接する突出電極の間に提供された複数個の空洞を含んでもよい。上記枝電極のそれぞれは１つの空洞に対応するように提供されてもよい。
【００２１】
本発明の一実施例によると、上記第１電極と上記第２電極は電気的に分離され、上記第１及び第２電極のうち１つの電極は他の１つの電極の周りを取り囲む形状であってもよい。
【００２２】
本発明の一実施例によると、上記第１及び第２発光素子のそれぞれは、第１導電性ドーパントがドープされた第１導電性半導体層と、第２導電性ドーパントがドープされた第２導電性半導体層と、上記第１導電性半導体層と上記第２導電性半導体層の間に提供された活性層と、を含んでもよい。
【００２３】
本発明の一実施例によると、上記第１及び第２発光素子のそれぞれは、マイクロスケールまたはナノスケールを有する円柱状あるいは多角柱状の発光ダイオードを含んでもよい。
【００２４】
本発明の一実施例による発光装置を備えた表示装置は、表示領域及び非表示領域を含む基板と、上記表示領域に提供され、少なくとも１つのトランジスタを含む画素回路部と、上記画素回路部上に提供され、光が出射される複数の単位発光領域を備える表示素子層と、を含んでもよい。
【００２５】
本発明の一実施例によると、上記表示素子層は、上記画素回路部上に提供され、第１方向に第１端部と第２端部を有する少なくとも１つの第１発光素子と、上記第１方向と交差する第２方向に第１端部と第２端部を有する少なくとも１つの第２発光素子と、上記画素回路部上に提供され、上記第１及び第２発光素子のそれぞれの第１及び第２端部の何れか１つに連結された第１電極と、残り１つに連結された第２電極と、上記画素回路部上において上記第２方向に沿って延長され、上記第１電極に連結された第１整列配線と、上記第１整列配線と一定間隔離隔され、上記第２電極に連結された第２整列配線と、上記第１電極上に提供され、対応する発光素子の第１及び第２端部の何れか１つの端部と上記第１電極を連結する第１コンタクト電極と、上記第２電極上に提供され、上記対応する発光素子の残り１つの端部と上記第２電極を連結する第２コンタクト電極と、を含んでもよい。
【発明の効果】
【００２６】
本発明の一実施例によると、光の効率を向上させることができる発光装置及びこれを備えた表示装置が提供されることができる。
【図面の簡単な説明】
【００２７】
【図１】本発明の一実施例による棒状発光ダイオードを示した斜視図である。
【図２ａ】本発明の一実施例による発光装置の単位発光領域を示した回路図である。
【図２ｂ】本発明の一実施例による発光装置の単位発光領域を示した回路図である。
【図３】図１の棒状発光ダイオードを含む発光装置の単位発光領域を示した平面図である。
【図４】図３のＩ〜Ｉ’線に沿った断面図である。
【図５】図３の発光装置の単位発光領域を他の実施例に応じて示した平面図である。
【図６】図３の発光装置の単位発光領域を他の実施例に応じて示した平面図である。
【図７】図６のＩＩ〜ＩＩ’線に沿った断面図である。
【図８】図３の発光装置の単位発光領域を他の実施例に応じて示した平面図である。
【図９】図８のＩＩＩ〜ＩＩＩ’線に沿った断面図である。
【図１０】本発明の一実施例による表示装置を示したものであり、特に、図１に示された棒状ＬＥＤＬＤを発光源として使用した表示装置の概略的な平面図である。
【図１１】図１０に示された画素のうち１つの画素に含まれた第１〜第３サブ画素を概略的に示した平面図である。
【図１２】図１１のＩＶ〜ＩＶ’線に沿った断面図である。
【図１３】図１１の第１及び第２整列配線と第１及び第２電極だけを示した平面図である。
【図１４】図１１の表示装置において、１つの画素内に配置された第１及び第２整列配線、第１及び第２電極を他の実施例に応じて示した平面図である。
【図１５】図１１の表示装置において、１つの画素内に配置された第１及び第２整列配線、第１及び第２電極を他の実施例に応じて示した平面図である。
【図１６】図１１の表示装置において、１つの画素内に配置された第１及び第２整列配線、第１及び第２電極を他の実施例に応じて示した平面図である。
【図１７ａ】図１１の表示装置において、１つのサブ画素内に配置された第１及び第２整列配線、第１及び第２電極を他の実施例に応じて示した平面図である。
【図１７ｂ】図１１の表示装置において、１つのサブ画素内に配置された第１及び第２整列配線、第１及び第２電極を他の実施例に応じて示した平面図である。
【図１７ｃ】図１１の表示装置において、１つのサブ画素内に配置された第１及び第２整列配線、第１及び第２電極を他の実施例に応じて示した平面図である。
【図１８ａ】図１１の表示装置において、１つのサブ画素内に配置された第１及び第２整列配線、第１及び第２電極を他の実施例に応じて示した平面図である。
【図１８ｂ】図１１の表示装置において、１つのサブ画素内に配置された第１及び第２整列配線、第１及び第２電極を他の実施例に応じて示した平面図である。
【図１８ｃ】図１１の表示装置において、１つのサブ画素内に配置された第１及び第２整列配線、第１及び第２電極を他の実施例に応じて示した平面図である。
【図１８ｄ】図１１の表示装置において、１つのサブ画素内に配置された第１及び第２整列配線、第１及び第２電極を他の実施例に応じて示した平面図である。
【図１９ａ】図１１の表示装置において、１つのサブ画素内に配置された第１及び第２整列配線、第１及び第２電極を他の実施例に応じて示した平面図である。
【図１９ｂ】図１１の表示装置において、１つのサブ画素内に配置された第１及び第２整列配線、第１及び第２電極を他の実施例に応じて示した平面図である。
【図１９ｃ】図１１の表示装置において、１つのサブ画素内に配置された第１及び第２整列配線、第１及び第２電極を他の実施例に応じて示した平面図である。
【図１９ｄ】図１１の表示装置において、１つのサブ画素内に配置された第１及び第２整列配線、第１及び第２電極を他の実施例に応じて示した平面図である。
【図２０ａ】図１１の表示装置において、１つのサブ画素内に配置された第１及び第２整列配線、第１及び第２電極を他の実施例に応じて示した平面図である。
【図２０ｂ】図１１の表示装置において、１つのサブ画素内に配置された第１及び第２整列配線、第１及び第２電極を他の実施例に応じて示した平面図である。
【図２０ｃ】図１１の表示装置において、１つのサブ画素内に配置された第１及び第２整列配線、第１及び第２電極を他の実施例に応じて示した平面図である。
【図２０ｄ】図１１の表示装置において、１つのサブ画素内に配置された第１及び第２整列配線、第１及び第２電極を他の実施例に応じて示した平面図である。
【発明を実施するための形態】
【００２８】
本発明は多様に変更し、また、様々な形態を有することができるため、特定の実施例を図面に例示し以下で詳細に説明する。しかし、これは本発明を特定の開示形態に限定するものではなく、本発明の思想及び技術範囲に含まれる全ての変更、均等物ないし代替物を含むと理解すべきである。
【００２９】
各図面を説明するにあたり、類似する構成要素には類似する参照符号を使用した。添付の図面における構造物の寸法は、本発明を明確にするために拡大して示した。第１、第２などの用語は様々な構成要素を説明するために用いられるが、上記構成要素は上記用語により限定されてはならない。上記用語は一構成要素を他の構成要素と区別するためだけに用いられる。例えば、本発明の権利範囲から外れない範囲内で、第１構成要素は第２構成要素と称されてもよく、これと同様に第２構成要素も第１構成要素と称されてもよい。単数の表現は文脈上明らかに違う意味を持たない限り、複数の表現を含む。
【００３０】
本出願において、「含む」または「有する」などの用語は、明細書上に記載された特徴、数字、段階、動作、構成要素、部品、またはこれらの組み合わせが存在することを示すものであり、１つまたはそれ以上の他の特徴や数字、段階、動作、構成要素、部品またはこれらの組み合わせの存在または付加可能性を事前に排除するものではないと理解すべきである。また、層、膜、領域、板などの部分が他の部分の「上に」あるというときは、他の部分の「真上に」ある場合のみならず、その中間に他の部分が介在されている場合も含む。また、本明細書において、ある層、膜、領域、板などの部分が他の部分上（ｏｎ）に形成されたというときは、上記形成された方向は上部方向のみに限らず、側面や下部方向に形成されたものを含む。逆に、層、膜、領域、板などの部分が他の部分の「下に」あるというときは、他の部分の「真下に」ある場合のみならず、その中間に他の部分が介在されている場合も含む。
【００３１】
以下、添付の図面を参照して本発明の好ましい実施例をより詳細に説明する。
【００３２】
図１は本発明の一実施例による棒状発光ダイオードを示した斜視図である。図１には円柱状の棒状発光ダイオードＬＤを示したが、本発明はこれに限定されない。
【００３３】
図１を参照すると、本発明の一実施例による棒状発光ダイオードＬＤは、第１導電性半導体層１１と、第２導電性半導体層１３と、上記第１及び第２導電性半導体層１１、１３との間に介在された活性層１２と、を含んでもよい。
【００３４】
例えば、上記棒状発光ダイオードＬＤは、上記第１導電性半導体層１１、上記活性層１２、及び上記第２導電性半導体層１３が順に積層された積層体で具現されてもよい。以下の実施例では、説明の便宜のため、上記棒状発光ダイオードＬＤを「棒状ＬＥＤＬＤ」と称する。
【００３５】
本発明の一実施例によると、上記棒状ＬＥＤＬＤは一方向に沿って延長された棒状に提供されてもよい。上記棒状ＬＥＤＬＤの延長方向を長さ方向とすると、上記棒状ＬＥＤＬＤは上記長さ方向に沿って一側端部と他側端部を有することができる。
【００３６】
本発明の一実施例において、上記一側端部には上記第１及び第２導電性半導体層１１、１３のうち１つ、上記他側端部には上記第１及び第２導電性半導体層１１、１３の残り１つが配置されてもよい。
【００３７】
本発明の一実施例において、上記棒状ＬＥＤＬＤは円柱状に提供されてもよい。しかし、ここで、「棒状」とは、円柱、多角柱などのように上記長さ方向に長い（即ち、縦横比が１より大きい）ロット状（ｒｏｄ−ｌｉｋｅ  ｓｈａｐｅ）或いはバー状（ｂａｒ−ｌｉｋｅ  ｓｈａｐｅ）を含んでもよい。例えば、上記棒状ＬＥＤＬＤの長さはその直径より大きくてもよい。
【００３８】
上記棒状ＬＥＤＬＤは、例えば、マイクロスケールまたはナノスケール程度の直径及び／または長さを有する程度に小さく製作することができる。
【００３９】
但し、本発明の一実施例による上記棒状ＬＥＤＬＤの大きさはこれに限定されず、上記棒状ＬＥＤＬＤが適用される表示装置の要求条件に適合するように上記棒状ＬＥＤＬＤの大きさが変更されてもよい。
【００４０】
上記第１導電性半導体層１１は、例えば、少なくとも１つのｎ型半導体層を含んでもよい。例えば、上記第１導電性半導体層１１は、ＩｎＡｌＧａＮ、ＧａＮ、ＡｌＧａＮ、ＩｎＧａＮ、ＡｌＮ、ＩｎＮのうち何れか１つの半導体材料を含み、Ｓｉ、Ｇｅ、Ｓｎなどの第１導電性ドーパントがドープされた半導体層を含んでもよい。
【００４１】
上記第１導電性半導体層１１を構成する物質はこれに限定されず、その他にも多様な物質で上記第１導電性半導体層１１を構成してもよい。
【００４２】
上記活性層１２は上記第１導電性半導体層１１上に形成され、単一または多重量子井戸構造で形成されてもよい。本発明の一実施例によると、上記活性層１２の上部及び／または下部には導電性ドーパントがドープされたクラッド層（不図示）が形成されてもよい。例えば、上記クラッド層はＡｌＧａＮ層またはＩｎＡｌＧａＮ層で具現されることができる。その他にＡｌＧａＮ、ＡｌＩｎＧａＮなどの物質も上記活性層１２として利用してもよい。
【００４３】
上記棒状ＬＥＤＬＤの両端に所定電圧以上の電界を印加すると、上記活性層１２において電子−正孔対が結合して上記棒状ＬＥＤＬＤが発光するようになる。
【００４４】
上記第２導電性半導体層１３は上記活性層１２上に提供され、上記第１導電性半導体層１１と異なるタイプの半導体層を含んでもよい。例えば、上記第２導電性半導体層１３は少なくとも１つのｐ型半導体層を含んでもよい。例えば、上記第２導電性半導体層１３は、ＩｎＡｌＧａＮ、ＧａＮ、ＡｌＧａＮ、ＩｎＧａＮ、ＡｌＮ、ＩｎＮのうち少なくとも１つの半導体材料を含み、Ｍｇなどのような第２導電性ドーパントがドープされた半導体層を含んでもよい。
【００４５】
上記第２導電性半導体層１３を構成する物質はこれに限定されず、その他にも多様な物質が上記第２導電性半導体層１３を構成してもよい。
【００４６】
本発明の一実施例によると、上記棒状ＬＥＤＬＤは、上述した上記第１導電性半導体層１１、上記活性層１２、及び上記第２導電性半導体層１３の他にも各層の上部及び／または下部に他の蛍光体層、活性層、半導体層及び／または電極層をさらに含んでもよい。
【００４７】
また、上記棒状ＬＥＤＬＤは絶縁性被膜１４をさらに含んでもよい。但し、本発明の一実施例によると、上記絶縁性被膜１４は省略されてもよく、上記第１導電性半導体層１１、上記活性層１２、及び上記第２導電性半導体層１３の一部のみを覆うように提供されてもよい。
【００４８】
例えば、上記絶縁性被膜１４は、上記棒状ＬＥＤＬＤの両端部を除いた部分に提供されることで、上記棒状ＬＥＤＬＤの両端部が露出されてもよい。
【００４９】
説明の便宜上、図１には上記絶縁性被膜１４の一部を削除した様子を示しており、実際の棒状ＬＥＤＬＤは円柱の側面が全て上記絶縁性被膜１４で覆われてもよい。
【００５０】
上記絶縁性被膜１４は、上記第１導電性半導体層１１、上記活性層１２及び／または上記第２導電性半導体層１３の外周面の少なくとも一部を覆うように提供されてもよい。例えば、上記絶縁性被膜１４は、少なくとも上記活性層１２の外周面を覆うように提供されることができる。
【００５１】
本発明の一実施例によると、上記絶縁性被膜１４は透明な絶縁物質を含んでもよい。例えば、上記絶縁性被膜１４は、ＳｉＯ２、Ｓｉ３Ｎ４、Ａｌ２Ｏ３及びＴｉＯ２からなる群より選択された１つ以上の絶縁物質を含んでもよいが、これに限定されず、絶縁性を有する様々な材料を使用することができる。
【００５２】
上記絶縁性被膜１４が上記棒状ＬＥＤＬＤに提供されると、上記活性層１２が図示されていない第１及び／または第２電極と短絡することを防止することができる。
【００５３】
また、上記絶縁性被膜１４を形成することにより、上記棒状ＬＥＤＬＤの表面欠陥を最小化して寿命及び効率を向上させることができる。また、複数の棒状ＬＥＤＬＤが密接して配置される場合、上記絶縁性被膜１４は棒状ＬＥＤＬＤの間で発生し得る所望しない短絡を防止することができる。
【００５４】
上述した棒状ＬＥＤＬＤは様々な表示装置の発光源として用いられてもよい。例えば、上記棒状ＬＥＤＬＤは照明装置や自発光表示装置の光源素子として用いられてもよい。
【００５５】
図２ａ及び図２ｂは、本発明の一実施例による発光装置の単位発光領域を示した回路図である。
【００５６】
特に、図２ａ及び図２ｂには能動型発光表示パネルを構成するサブ画素の一例を示した。本発明の一実施例において、上記単位発光領域は１つのサブ画素の画素領域であってもよい。
【００５７】
図２ａを参照すると、サブ画素ＳＰは、１つ以上の棒状ＬＥＤＬＤと、これに接続されて上記棒状ＬＥＤＬＤを駆動する駆動回路１４４と、を含んでもよい。
【００５８】
上記棒状ＬＥＤＬＤの第１電極（例えば、アノード電極）は上記駆動回路１４４を経由して第１駆動電源ＶＤＤに接続され、第２電極（例えば、カソード電極）は第２駆動電源ＶＳＳに接続される。
【００５９】
上記第１駆動電源ＶＤＤ及び上記第２駆動電源ＶＳＳは、互いに異なる電位を有してもよい。例えば、上記第２駆動電源ＶＳＳは、上記第１電源ＶＤＤの電位より上記棒状ＬＥＤＬＤのしきい電圧以上低い電位を有することができる。
【００６０】
上記棒状ＬＥＤＬＤは、上記駆動回路１４４によって制御される駆動電流に相応する輝度で発光することができる。
【００６１】
一方、図２ａには、上記サブ画素ＳＰに１つの上記棒状ＬＥＤＬＤだけが含まれる実施例を開示したが、本発明はこれに限定されない。例えば、上記サブ画素ＳＰは、互いに並列に連結される複数の上記棒状ＬＥＤＬＤを含んでもよい。
【００６２】
本発明の一実施例によると、上記駆動回路１４４は、第１及び第２トランジスタＭ１、Ｍ２とストレージキャパシタＣｓｔを含んでもよい。但し、上記駆動回路１４４の構造は図２ａに示された実施例に限定されない。
【００６３】
上記第１トランジスタＭ１（スイッチングトランジスタ）の第１電極はデータ線Ｄｊに接続され、第２電極は第１ノードＮ１に接続される。ここで、上記第１トランジスタＭ１の上記第１電極と上記第２電極は互いに異なる電極であり、例えば、上記第１電極がソース電極であれば、上記第２電極はドレイン電極であってもよい。そして、上記第１トランジスタＭ１のゲート電極は走査線Ｓｉに接続される。
【００６４】
このような上記第１トランジスタＭ１は、上記走査線Ｓｉから上記第１トランジスタＭ１がターンオンできる電圧（例えば、ロー電圧）の走査信号が供給されるときターンオンされて、上記データ線Ｄｊと上記第１ノードＮ１を電気的に連結する。このとき、上記データ線Ｄｊには該当フレームのデータ信号が供給され、これにより、上記第１ノードＮ１に上記データ信号が伝達される。上記第１ノードＮ１に伝達された上記データ信号は、上記ストレージキャパシタＣｓｔに充電される。
【００６５】
上記第２トランジスタＭ２（駆動トランジスタ）の第１電極は上記第１駆動電源ＶＤＤに接続され、第２電極は上記棒状ＬＥＤＬＤの上記第１電極に接続される。上記第２トランジスタＭ２のゲート電極は上記第１ノードＮ１に接続される。このような上記第２トランジスタＭ２は、上記第１ノードＮ１の電圧に対応して上記棒状ＬＥＤＬＤに供給される駆動電流の量を制御する。
【００６６】
上記ストレージキャパシタＣｓｔの一電極は上記第１駆動電源ＶＤＤに接続され、他の電極は上記第１ノードＮ１に接続される。このような上記ストレージキャパシタＣｓｔは、上記第１ノードＮ１に供給される上記データ信号に対応する電圧を充電し、次のフレームのデータ信号が供給されるまで充電された電圧を保持する。
【００６７】
便宜上、図２ａには、上記データ信号を上記サブ画素ＳＰの内部に伝達するための上記第１トランジスタＭ１と、上記データ信号を貯蔵するための上記ストレージキャパシタＣｓｔと、上記データ信号に対応する駆動電流を上記棒状ＬＥＤＬＤに供給するための上記第２トランジスタＭ２とを含む比較的単純な構造の上記駆動回路１４４を示した。
【００６８】
しかし、本発明はこれに限定されるものではなく、上記駆動回路１４４の構造は多様に変更されて実施されてもよい。例えば、上記駆動回路１４４は、上記第２トランジスタＭ２のしきい電圧を補償するためのトランジスタ素子、上記第１ノードＮ１を初期化するためのトランジスタ素子、及び／または上記棒状ＬＥＤＬＤの発光時間を制御するためのトランジスタ素子などの少なくとも１つのトランジスタ素子や、上記第１ノードＮ１の電圧をブーストするためのブーストキャパシタなどの他の回路素子をさらに含むことができる。
【００６９】
また、図２ａには、上記駆動回路１４４に含まれるトランジスタ、例えば、上記第１及び第２トランジスタＭ１、Ｍ２を全てＰ型トランジスタで図示したが、本発明はこれに限定されない。即ち、上記駆動回路１４４に含まれる上記第１及び第２トランジスタＭ１、Ｍ２のうち少なくとも１つは、Ｎ型トランジスタに変更されてもよい。
【００７０】
図２ｂを参照すると、本発明の一実施例によると、第１及び第２トランジスタＭ１、Ｍ２はＮ型トランジスタで具現されてもよい。図２ｂに示された駆動回路１４４は、トランジスタのタイプ変更による一部の構成要素の接続位置の変更を除けば、その構成や動作が図２ａの駆動回路１４４と類似する。従って、これに対する詳細な説明は省略する。
【００７１】
図３は図１の棒状発光ダイオードを含む発光装置の単位発光領域を示した平面図であり、図４は図３のＩ〜Ｉ’線に沿った断面図である。
【００７２】
図３において、単位発光領域は、発光表示パネルに含まれた１つのサブ画素の画素領域であってもよい。
【００７３】
図１〜図４を参照すると、本発明の一実施例による発光装置は、複数の単位発光領域を含む基板ＳＵＢ、バリア層ＢＲＬ、複数の棒状ＬＥＤＬＤ、第１及び第２隔壁ＰＷ１、ＰＷ２、第１及び第２電極ＲＥＬ１、ＲＥＬ２、第１及び第２整列配線ＡＲＬ１、ＡＲＬ２、第１及び第２コンタクト電極ＣＮＥ１、ＣＮＥ２を含んでもよい。
【００７４】
上記基板ＳＵＢはガラス、有機高分子、水晶などの絶縁性材料を含んでもよい。また、上記基板ＳＵＢは曲がったり折り曲げられるように可撓性（ｆｌｅｘｉｂｉｌｉｔｙ）を有する材料からなってもよく、単層構造や多層構造であってもよい。
【００７５】
上記バリア層ＢＲＬは、上記棒状ＬＥＤＬＤに不純物が拡散するのを防止することができる。
【００７６】
上記棒状ＬＥＤＬＤのそれぞれは、第１導電性半導体層１１と、第２導電性半導体層１３と、上記第１及び第２導電性半導体層１１、１３との間に介在された活性層１２と、を含んでもよい。実施例に応じて、上記棒状ＬＥＤＬＤのそれぞれは上記第２導電性半導体層１３の上部に提供された電極層（不図示）をさらに含んでもよい。
【００７７】
上記棒状ＬＥＤＬＤのそれぞれは、第１端部ＥＰ１と第２端部ＥＰ２を含んでもよい。
【００７８】
上記第１端部ＥＰ１には上記第１及び第２導電性半導体層１１、１３のうち１つが、上記第２端部ＥＰ２には上記第１及び第２導電性半導体層１１、１３の残り１つが配置されてもよい。本発明の一実施例において、各棒状ＬＥＤＬＤは、カラー及び／または白色光のうち何れか１つの光を出射することができる。
【００７９】
上記棒状ＬＥＤＬＤのそれぞれの下部には、第１絶縁層ＩＮＳ１が提供されてもよい。
【００８０】
上記第１絶縁層ＩＮＳ１は、上記棒状ＬＥＤＬＤのそれぞれと上記基板ＳＵＢの間の空間を埋め、上記棒状ＬＥＤＬＤのそれぞれを安定的に支持し、各棒状ＬＥＤＬＤの離脱を防止することができる。
【００８１】
上記棒状ＬＥＤＬＤ上には、上記棒状ＬＥＤＬＤのそれぞれの上面一部をカバーする第２絶縁層ＩＮＳ２が提供されてもよい。これにより、上記棒状ＬＥＤＬＤのそれぞれの両端部ＥＰ１、ＥＰ２は外部に露出されてもよい。
【００８２】
上記棒状ＬＥＤＬＤは、第１棒状ＬＥＤＬＤ１と第２棒状ＬＥＤＬＤ２を含んでもよい。
【００８３】
上記第１棒状ＬＥＤＬＤ１は、第１方向ＤＲ１に上記第１及び第２端部ＥＰ１、ＥＰ２を含んでもよい。ここで、上記第１方向ＤＲ１は、平面上で見たとき、水平方向を意味することができる。
【００８４】
上記第２棒状ＬＥＤＬＤ２は、上記第１方向ＤＲ１と交差する第２方向ＤＲ２に上記第１及び第２端部ＥＰ１、ＥＰ２を含んでもよい。ここで、上記第２方向ＤＲ２は、平面上で見たとき、垂直方向を意味することができる。
【００８５】
本発明の一実施例において、上記第１棒状ＬＥＤＬＤ１は上記水平方向に整列され、上記第２棒状ＬＥＤＬＤ２は上記垂直方向に整列されることができる。
【００８６】
上記発光装置の各単位発光領域は、上記第１棒状ＬＥＤＬＤ１が提供される第１サブ発光領域ＳＥＭＡ１と、上記第２棒状ＬＥＤＬＤ２が提供される第２サブ発光領域ＳＥＭＡ２と、を含んでもよい。
【００８７】
上記第１及び第２隔壁ＰＷ１、ＰＷ２は、１つのサブ画素ＳＰ内で上記単位発光領域を区画することができる。
【００８８】
上記第１及び第２隔壁ＰＷ１、ＰＷ２は、上記基板ＳＵＢ上において互いに一定間隔離隔されるように提供されてもよい。上記第１及び第２隔壁ＰＷ１、ＰＷ２は、１つの棒状ＬＥＤＬＤの長さ以上に上記基板ＳＵＢ上に離隔されてもよい。
【００８９】
上記第１及び第２隔壁ＰＷ１、ＰＷ２は無機材料または有機材料を含む絶縁物質を含んでもよいが、これに限定されない。上記第１及び第２隔壁ＰＷ１、ＰＷ２は、断面上で見たとき、その側面が所定の角度で傾斜した台形状であってもよいが、これに限定されず、半楕円形、円形、四角形などの様々な形状であってもよい。
【００９０】
上記第１隔壁ＰＷ１は、上記第１サブ発光領域ＳＥＭＡ１に提供された第１−１隔壁ＰＷ１＿１と、上記第２サブ発光領域ＳＥＭＡ２に提供された第１−２隔壁ＰＷ１＿２と、を含んでもよい。
【００９１】
上記第２隔壁ＰＷ２は、上記第１サブ発光領域ＳＥＭＡ１に提供された第２−１隔壁ＰＷ２＿１と、上記第２サブ発光領域ＳＥＭＡ２に提供された第２−２隔壁ＰＷ２＿２と、を含んでもよい。
【００９２】
上記第１−１隔壁ＰＷ１＿１と上記第１−２隔壁ＰＷ１＿２は一体で提供され、上記第２−１隔壁ＰＷ２＿１と上記第２−２隔壁ＰＷ２＿２は一体で提供されてもよい。
【００９３】
上記第１−１隔壁ＰＷ１＿１と上記第２−１隔壁ＰＷ２＿１は、上記第１サブ発光領域ＳＥＭＡ１の上記基板ＳＵＢ上において一定間隔離隔されてもよい。上記第１−１隔壁ＰＷ１＿１と上記第２−１隔壁ＰＷ２＿１は、平面上で見たとき、上記第２方向ＤＲ２に沿って延長されてもよい。
【００９４】
上記第１−２隔壁ＰＷ１＿２と上記第２−２隔壁ＰＷ２＿２は、上記第２サブ発光領域ＳＥＭＡ２の上記基板ＳＵＢ上において一定間隔離隔されてもよい。上記第１−２隔壁ＰＷ１＿２と上記第２−２隔壁ＰＷ２＿２は、平面上で見たとき、上記第１方向ＤＲ１に沿って延長されてもよい。
【００９５】
上記第１−１隔壁ＰＷ１＿１、上記第１−２隔壁ＰＷ１＿２、上記第２−１隔壁ＰＷ２＿１、及び上記第２−２隔壁ＰＷ２＿２は、上記基板ＳＵＢ上の同一平面上に配置されてもよく、同じ高さであってもよい。
【００９６】
上記第１電極ＲＥＬ１は上記第１隔壁ＰＷ１上に提供され、上記第２電極ＲＥＬ２は上記第２隔壁ＰＷ２上に提供されてもよい。
【００９７】
上記第１電極ＲＥＬ１は、対応する棒状ＬＥＤＬＤの両端部ＥＰ１、ＥＰ２の何れか１つの端部に隣接して配置され、上記第２電極ＲＥＬ２は、上記対応するＬＥＤＬＤの両端部ＥＰ１、ＥＰ２のうち残り１つの端部に隣接して配置されてもよい。
【００９８】
上記第１電極ＲＥＬ１は、上記第１コンタクト電極ＣＮＥ１を介して上記対応する棒状ＬＥＤＬＤに電気的に連結され、上記第２電極ＲＥＬ２は、上記第２コンタクト電極ＣＮＥ２を介して上記対応する棒状ＬＥＤＬＤに電気的に連結されてもよい。
【００９９】
上記第１電極ＲＥＬ１は、上記第１−１隔壁ＰＷ１＿１上に提供された第１−１電極ＲＥＬ１＿１と、上記第１−２隔壁ＰＷ１＿２上に提供された第１−２電極ＲＥＬ１＿２と、を含んでもよい。
【０１００】
上記第１−１電極ＲＥＬ１＿１は上記第１サブ発光領域ＳＥＭＡ１に提供され、平面上で見たとき、上記第１−１隔壁ＰＷ１＿１に重畳されてもよい。上記第１−１電極ＲＥＬ１＿１は上記第１サブ発光領域ＳＥＭＡ１内において上記第２方向ＤＲ２に延長されてもよい。
【０１０１】
上記第１−１電極ＲＥＬ１＿１は、上記第１方向ＤＲ１に沿って延長された第１連結配線ＣＮＬ１から上記第２方向ＤＲ２に分岐され、上記第１サブ発光領域ＳＥＭＡ１内に複数個で提供されてもよい。
【０１０２】
上記第１連結配線ＣＮＬ１は上記第１整列配線ＡＲＬ１に連結されてもよい。上記第１連結配線ＣＮＬ１は上記第１整列配線ＡＲＬ１と一体で提供されてもよいが、本発明はこれに限定されない。
【０１０３】
上記第１−２電極ＲＥＬ１＿２は上記第２サブ発光領域ＳＥＭＡ２に提供され、平面上で見たとき、上記第１−２隔壁ＰＷ１＿２に重畳されてもよい。上記第１−２電極ＲＥＬ１＿２は、上記第２サブ発光領域ＳＥＭＡ２内において上記第１方向ＤＲ１に延長されてもよい。
【０１０４】
上記第１−２電極ＲＥＬ１＿２は、上記第２方向ＤＲ２に沿って延長された上記第１整列配線ＡＲＬ１から上記第１方向ＤＲ１に分岐され、上記第２サブ発光領域ＳＥＭＡ２内に複数個で提供されてもよい。
【０１０５】
上記第１−１電極ＲＥＬ１＿１上には、ＩＺＯなどの透明な導電性材料からなる第１−１キャップ層ＣＰＬ１＿１が提供されてもよい。上記第１−１キャップ層ＣＰＬ１＿１は、上記発光装置の製造工程時に発生する不良などによる上記第１−１電極ＲＥＬ１−１の損傷を防止し、上記第１−１電極ＲＥＬ１−１と上記基板ＳＵＢの接着力をさらに強化させることができる。
【０１０６】
上記第１−２電極ＲＥＬ１＿２上にも上記第１−１キャップ層ＣＰＬ１＿１と同じ物質を含む第１−２キャップ層（不図示）が提供されてもよい。
【０１０７】
上記第２電極ＲＥＬ２は、上記第２−１隔壁ＰＷ２＿１上に提供された第２−１電極ＲＥＬ２＿１と、上記第２−２隔壁ＰＷ２＿２上に提供された第２−２電極ＲＥＬ２＿２と、を含んでもよい。
【０１０８】
上記第２−１電極ＲＥＬ２＿１は上記第１サブ発光領域ＳＥＭＡ１に提供され、平面上で見たとき、上記第２−１隔壁ＰＷ２＿１に重畳されてもよい。上記第２−１電極ＲＥＬ２＿１は、上記第１サブ発光領域ＳＥＭＡ１内において上記第２方向ＤＲ２に延長されてもよい。
【０１０９】
上記第２−１電極ＲＥＬ２＿１は、上記第１方向ＤＲ１に沿って延長された第２連結配線ＣＮＬ２から上記第２方向ＤＲ２に分岐され、上記第１サブ発光領域ＳＥＭＡ１内に複数個で提供されてもよい。
【０１１０】
上記第２連結配線ＣＮＬ２は上記第２整列配線ＡＲＬ２に連結されてもよい。上記第２連結配線ＣＮＬ２は上記第２整列配線ＡＲＬ２と一体で提供されてもよいが、本発明はこれに限定されない。
【０１１１】
上記第２−２電極ＲＥＬ２＿２は上記第２サブ発光領域ＳＥＭＡ２に提供され、平面上で見たとき、上記第２−２隔壁ＰＷ２−２に重畳されてもよい。上記第２−２電極ＲＥＬ２＿２は、上記第２サブ発光領域ＳＥＭＡ２内において上記第１方向ＤＲ１に延長されてもよい。
【０１１２】
上記第２−２電極ＲＥＬ２＿２は、上記第２方向ＤＲ２に沿って延長された上記第２整列配線ＡＲＬ２から上記第１方向ＤＲ１に分岐され、上記第２サブ発光領域ＳＥＭＡ２内に複数個で提供されてもよい。
【０１１３】
上記第２−１電極ＲＥＬ２＿１上には、ＩＺＯなどの透明な導電性材料からなる第２−１キャップ層ＣＰＬ２＿１が提供されてもよい。上記第２−２電極ＲＥＬ２＿２上にも上記第２−１キャップ層ＣＰＬ２＿１と同じ物質を含む第２−２キャップ層（不図示）が提供されてもよい。
【０１１４】
平面上で見たとき、上記第１−１及び第２−１電極ＲＥＬ１＿１、ＲＥＬ２＿１は、上記第１サブ発光領域ＳＥＭＡ１内で上記第１方向ＤＲ１に沿って交互に提供されてもよい。
【０１１５】
また、平面上で見たとき、上記第１−２及び第２−２電極ＲＥＬ１＿２、ＲＥＬ２＿２は、上記第２サブ発光領域ＳＥＭＡ２内で上記第２方向ＤＲ２に沿って交互に提供されてもよい。
【０１１６】
上記第１サブ発光領域ＳＥＭＡ１における上記第１−１及び第２−１電極ＲＥＬ１＿１、ＲＥＬ２＿１の間の間隔ｄ１と上記第２サブ発光領域ＳＥＭＡ２における上記第１−２及び第２−２電極ＲＥＬ１＿２、ＲＥＬ２＿２の間の間隔ｄ２は、同一に設計されてもよい。
【０１１７】
これは、上記第１サブ発光領域ＳＥＭＡ１に整列される上記第１棒状ＬＥＤＬＤ１の整列面積と上記第２サブ発光領域ＳＥＭＡ２に整列される上記第２棒状ＬＥＤＬＤ２の整列面積を同一にするためである。
【０１１８】
上記第１及び第２サブ発光領域ＳＥＭＡ１、ＳＥＭＡ２のそれぞれにおける整列面積が同一である場合、上記第１及び第２棒状ＬＥＤＬＤ１、ＬＤ２が一部領域に偏ることを防止することができる。
【０１１９】
上記第１及び第２電極ＲＥＬ１、ＲＥＬ２は、上記第１及び第２隔壁ＰＷ１、ＰＷ２の形状に対応するように提供されてもよい。従って、上記第１電極ＲＥＬ１は上記第１隔壁ＰＷ１の傾斜度に対応する傾斜を有し、上記第２電極ＲＥＬ２は上記第２隔壁ＰＷ２の傾斜度に対応する傾斜を有することができる。
【０１２０】
本発明の一実施例において、上記第１及び第２電極ＲＥＬ１、ＲＥＬ２は一定の反射率を有する導電性材料からなってもよい。上記第１及び第２電極ＲＥＬ１、ＲＥＬ２は、対応する棒状ＬＥＤＬＤの両端部ＥＰ１、ＥＰ２から出射される光を画像が表示される方向（例えば、正面方向）に進行させることができる。
【０１２１】
上記第１及び第２電極ＲＥＬ１、ＲＥＬ２のうち何れか１つの電極はアノード電極で、残り１つの電極はカソード電極であってもよい。本発明の一実施例では、上記第１電極ＲＥＬ１がアノード電極で、上記第２電極ＲＥＬ２がカソード電極であってもよい。
【０１２２】
上記第１電極ＲＥＬ１と上記第２電極ＲＥＬ２は同じ平面上に配置されてもよく、同じ高さであってもよい。
【０１２３】
説明の便宜上、上記第１及び第２電極ＲＥＬ１、ＲＥＬ２が上記基板ＳＵＢ上に直接提供されるものを示したが、これに限定されるものではない。例えば、上記第１及び第２電極ＲＥＬ１、ＲＥＬ２と上記基板ＳＵＢの間には、上記発光装置がパッシブマトリックスまたはアクティブマトリックスで駆動されるための構成要素がさらに提供されてもよい。
【０１２４】
上記第１整列配線ＡＲＬ１は上記単位発光領域内で上記第２方向ＤＲ２に沿って延長され、上記第１電極ＲＥＬ１と電気的に連結されてもよい。平面上で見たとき、上記第１整列配線ＡＲＬ１は上記第１隔壁ＰＷ１と重畳されてもよい。
【０１２５】
上記第２整列配線ＡＲＬ２は上記単位発光領域内で上記第１整列配線ＡＲＬ１と一定間隔離隔され、上記第２電極ＲＥＬ２と電気的に連結されてもよい。平面上で見たとき、上記第２整列配線ＡＲＬ２は上記第２隔壁ＰＷ２と重畳されてもよい。
【０１２６】
本発明の一実施例において、上記第１及び第２整列配線ＡＲＬ１、ＡＲＬ２は、上記第１及び第２電極ＲＥＬ１、ＲＥＬ２と同じ層に配置されてもよいが、本発明はこれに限定されない。例えば、上記第１及び第２整列配線ＡＲＬ１、ＡＲＬ２のそれぞれは、上記第１及び第２電極ＲＥＬ１、ＲＥＬ２と異なる層に提供されてコンタクトホールなどを介して対応する電極に電気的に連結されてもよい。
【０１２７】
上記第１整列配線ＡＲＬ１には第１整列電圧が印加され、上記第２整列配線ＡＲＬ２には上記第１整列電圧と異なる電圧レベルを有する第２整列電圧が印加されてもよい。
【０１２８】
上記第１整列配線ＡＲＬ１は、上記棒状ＬＥＤＬＤを上記１つのサブ画素ＳＰ内に整列させるために上記第１電極ＲＥＬ１に上記第１整列電圧を伝達することができる。上記第２整列配線ＡＲＬ２は、上記棒状ＬＥＤＬＤを上記１つのサブ画素ＳＰ内に整列させるために上記第２電極ＲＥＬ２に上記第２整列電圧を伝達することができる。
【０１２９】
本発明の一実施例では、上記第１整列配線ＡＲＬ１には上記第１整列電圧としてグラウンド電圧ＧＮＤが印加され、上記第２整列配線ＡＲＬ２には上記第２整列電圧として交流電圧が印加されてもよい。
【０１３０】
上記第１整列配線ＡＲＬ１と上記第２整列配線ＡＲＬ２のそれぞれに互いに異なる電圧レベルを有する所定の電圧が印加されることによって、上記第１電極ＲＥＬ１と上記第２電極ＲＥＬ２との間に電界が形成されることができる。
【０１３１】
上記第１及び第２電極ＲＥＬ１、ＲＥＬ２、上記第１及び第２整列配線ＡＲＬ１、ＡＲＬ２、上記第１及び第２連結配線ＣＮＬ１、ＣＮＬ２は、導電性材料からなってもよい。上記導電性材料としては、Ａｇ、Ｍｇ、Ａｌ、Ｐｔ、Ｐｄ、Ａｕ、Ｎｉ、Ｎｄ、Ｉｒ、Ｃｒ、Ｔｉ、これらの合金のような金属、ＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）のような導電性酸化物、ＰＥＤＯＴのような導電性高分子などを含んでもよい。
【０１３２】
また、上記第１及び第２電極ＲＥＬ１、ＲＥＬ２、上記第１及び第２整列配線ＡＲＬ１、ＡＲＬ２、上記第１及び第２連結配線ＣＮＬ１、ＣＮＬ２は、単一膜で形成されてもよいが、これに限定されず、金属、合金、導電性酸化物、導電性高分子のうち２以上の物質が積層された多重膜で形成されてもよい。
【０１３３】
上記第１サブ発光領域ＳＥＭＡ１において、上記第１−１電極ＲＥＬ１＿１と上記第２−１電極ＲＥＬ２＿１の間には、上記第１棒状ＬＥＤＬＤ１が提供されてもよい。
【０１３４】
上記第１棒状ＬＥＤＬＤ１の両端部ＥＰ１、ＥＰ２のうち何れか１つの端部は上記第１−１電極ＲＥＬ１＿１に連結され、残り１つの端部は上記第２−１電極ＲＥＬ２＿１に連結されてもよい。
【０１３５】
例えば、上記第１棒状ＬＥＤＬＤ１の第１端部ＥＰ１が上記第１−１電極ＲＥＬ１＿１に連結され、上記第１棒状ＬＥＤＬＤ１の第２端部ＥＰ２が上記第２−１電極ＲＥＬ２＿１に連結されてもよい。また、上記第１棒状ＬＥＤＬＤ１の第１端部ＥＰ１が上記第２−１電極ＲＥＬ２＿１に連結され、上記第１棒状ＬＥＤＬＤ１の第２端部ＥＰ２が上記第１−１電極ＲＥＬ１＿１に連結されてもよい。
【０１３６】
以下では、便宜上、上記第１端部ＥＰ１が上記第１−１電極ＲＥＬ１＿１に連結される上記第１棒状ＬＥＤＬＤ１を第１−１棒状ＬＥＤＬＤ１＿１と説明する。また、上記第１端部ＥＰ１が上記第２−１電極ＲＥＬ２＿１に連結される上記第１棒状ＬＥＤＬＤ１を第１−２棒状ＬＥＤＬＤ１＿２と説明する。
【０１３７】
上記第２サブ発光領域ＳＥＭＡ２において、上記第１−２電極ＲＥＬ１＿２と上記第２−２電極ＲＥＬ２＿２の間には、上記第２棒状ＬＥＤＬＤ２が提供されてもよい。
【０１３８】
上記第２棒状ＬＥＤＬＤ２の両端部ＥＰ１、ＥＰ２のうち何れか１つの端部は上記第１−２電極ＲＥＬ１＿２に連結され、残り１つの端部は上記第２−２電極ＲＥＬ２＿２に連結されてもよい。
【０１３９】
例えば、上記第２棒状ＬＥＤＬＤ２の第１端部ＥＰ１が上記第１−２電極ＲＥＬ１＿２に連結され、上記第２棒状ＬＥＤＬＤ２の第２端部ＥＰ２が上記第２−２電極ＲＥＬ２＿２に連結されてもよい。また、上記第２棒状ＬＥＤＬＤ２の第１端部ＥＰ１が上記第２−２電極ＲＥＬ２＿２に連結され、上記第２棒状ＬＥＤＬＤ２の第２端部ＥＰ２が上記第１−２電極ＲＥＬ１＿２に連結されてもよい。
【０１４０】
以下では、便宜上、上記第１端部ＥＰ１が上記第１−２電極ＲＥＬ１＿２に連結される上記第２棒状ＬＥＤＬＤ２を第２−１棒状ＬＥＤＬＤ２＿１と説明する。また、上記第１端部ＥＰ１が上記第２−２電極ＲＥＬ２＿２に連結される上記第２棒状ＬＥＤＬＤ２を第２−２棒状ＬＥＤＬＤ２＿２と説明する。
【０１４１】
上記第１電極ＲＥＬ１上には上記第１コンタクト電極ＣＮＥ１が提供されてもよい。
【０１４２】
上記第１コンタクト電極ＣＮＥ１は、平面上で見たとき、上記第１電極ＲＥＬ１をカバーし、上記第１電極ＲＥＬ１に重畳されてもよい。また、上記第１コンタクト電極ＣＮＥ１は、各棒状ＬＥＤＬＤの両端部ＥＰ１、ＥＰ２のうち何れか１つの端部に部分的に重畳されてもよい。
【０１４３】
上記第１コンタクト電極ＣＮＥ１は、上記第１−１電極ＲＥＬ１＿１上に提供された第１−１コンタクト電極ＣＮＥ１＿１と、上記第１−２電極ＲＥＬ１＿２上に提供された第１−２コンタクト電極ＣＮＥ１＿２と、を含んでもよい。
【０１４４】
上記第１−１コンタクト電極ＣＮＥ１＿１は上記第１サブ発光領域ＳＥＭＡ１に提供され、上記第１−２コンタクト電極ＣＮＥ１＿２は上記第２サブ発光領域ＳＥＭＡ２に提供されてもよい。
【０１４５】
平面上で見たとき、上記第１−１コンタクト電極ＣＮＥ１＿１は、上記第１−１電極ＲＥＬ１＿１及び上記第１−１棒状ＬＥＤＬＤ１−１の第１端部ＥＰ１に重畳されてもよい。また、上記第１−１コンタクト電極ＣＮＥ１＿１は、上記第１−２棒状ＬＥＤＬＤ１＿２の第２端部ＥＰ２にも重畳されてもよい。
【０１４６】
上記第１−２コンタクト電極ＣＮＥ１＿２は、平面上で見たとき、上記第２−２棒状ＬＥＤＬＤ２−２のそれぞれの第２端部ＥＰ２と上記第１−２電極ＲＥＬ１＿２に重畳されてもよい。また、上記第１−２コンタクト電極ＣＮＥ１＿２は、平面上で見たとき、上記第２−１棒状ＬＥＤＬＤ２＿１のそれぞれの第１端部ＥＰ１に重畳されてもよい。
【０１４７】
上記第１コンタクト電極ＣＮＥ１上には、上記第１コンタクト電極ＣＮＥ１をカバーする第３絶縁層ＩＮＳ３が提供されてもよい。上記第３絶縁層ＩＮＳ３は、上記第１コンタクト電極ＣＮＥ１が外部に露出しないようにすることで、上記第１コンタクト電極ＣＮＥ１の腐食を防止することができる。
【０１４８】
上記第３絶縁層ＩＮＳ３は無機材料を含む無機絶縁膜または有機材料を含む有機絶縁膜であってもよい。上記第３絶縁層ＩＮＳ３は、図面に示されたように単層からなってもよいが、これに限定されるものではなく、多重層からなってもよい。
【０１４９】
上記第２電極ＲＥＬ２上には上記第２コンタクト電極ＣＮＥ２が提供されてもよい。
【０１５０】
上記第２コンタクト電極ＣＮＥ２は、平面上で見たとき、上記第２電極ＲＥＬ２をカバーし、上記第２電極ＲＥＬ２に重畳されてもよい。また、上記第２コンタクト電極ＣＮＥ２は、各棒状ＬＥＤＬＤの両端部ＥＰ１、ＥＰ２のうち何れか１つの端部に部分的に重畳されてもよい。
【０１５１】
本発明の一実施例において、上記第２コンタクト電極ＣＮＥ２は、上記第２−１電極ＲＥＬ２＿１上に提供された第２−１コンタクト電極ＣＮＥ２＿１と、上記第２−２電極ＲＥＬ２＿２上に提供された第２−２コンタクト電極ＣＮＥ２＿２と、を含んでもよい。
【０１５２】
上記第２−１コンタクト電極ＣＮＥ２＿１は上記第１サブ発光領域ＳＥＭＡ１に提供され、上記第２−２コンタクト電極ＣＮＥ２＿２は上記第２サブ発光領域ＳＥＭＡ２に提供されてもよい。
【０１５３】
平面上で見たとき、上記第２−１コンタクト電極ＣＮＥ２＿１は、上記第１−１棒状ＬＥＤＬＤ１＿１のそれぞれの第２端部ＥＰ２と上記第２−１電極ＲＥＬ２＿１に重畳されてもよい。また、上記第２−１コンタクト電極ＣＮＥ２＿１は、上記第１−２棒状ＬＥＤＬＤ１＿２のそれぞれの第１端部ＥＰ１に重畳されてもよい。
【０１５４】
上記第２−２コンタクト電極ＣＮＥ２＿２は、平面上で見たとき、上記第２−２棒状ＬＥＤＬＤ２−２の第１端部ＥＰ１と上記第１−２電極ＲＥＬ１＿２に重畳されてもよい。また、上記第２−２コンタクト電極ＣＮＥ２＿２は、上記第２−１棒状ＬＥＤＬＤ２＿１の第２端部ＥＰ２に重畳されてもよい。
【０１５５】
上記第２コンタクト電極ＣＮＥ２は、上記第１コンタクト電極ＣＮＥ１と同じ物質からなってもよいが、これに限定されない。
【０１５６】
上記第２コンタクト電極ＣＮＥ２上には、上記第２コンタクト電極ＣＮＥ２をカバーする第４絶縁層ＩＮＳ４が提供されてもよい。
【０１５７】
上記第４絶縁層ＩＮＳ４は、上記第２コンタクト電極ＣＮＥ２が外部に露出しないようにして上記第２コンタクト電極ＣＮＥ２の腐食を防止することができる。上記第４絶縁層ＩＮＳ４は、無機絶縁膜または有機絶縁膜のうち何れか１つの絶縁膜で構成されてもよい。
【０１５８】
上記第４絶縁層ＩＮＳ４上にはオーバーコート層ＯＣが提供されてもよい。
【０１５９】
上記オーバーコート層ＯＣは、その下部に配置された上記第１及び第２隔壁ＰＷ１、ＰＷ２、上記第１及び第２電極ＲＥＬ１、ＲＥＬ２、上記第１及び第２コンタクト電極ＣＮＥ１、ＣＮＥ２などにより生じた段差を緩和させる平坦化層であってもよい。また、上記オーバーコート層ＯＣは、上記棒状ＬＥＤＬＤに酸素及び水分などが浸透するのを防止する封止層であってもよい。
【０１６０】
上述したように、上記第１サブ発光領域ＳＥＭＡ１において、上記第１−１及び第２−１電極ＲＥＬ１＿１、ＲＥＬ２＿１が上記第２方向ＤＲ２に沿って延長されるため、上記第１棒状ＬＥＤＬＤ１は上記第１方向ＤＲ１に整列されることができる。
【０１６１】
上記第１−１及び第２−１電極ＲＥＬ１＿１、ＲＥＬ２＿１を介して上記第１棒状ＬＥＤＬＤ１のそれぞれの両端部ＥＰ１、ＥＰ２に所定電圧以上の電界を印加すると、上記第１棒状ＬＥＤＬＤ１のそれぞれの活性層１２において電子−正孔対が結合して上記第１棒状ＬＥＤＬＤ１が発光するようになる。
【０１６２】
上記第１棒状ＬＥＤＬＤ１のそれぞれから放出された光は、上記第１棒状ＬＥＤＬＤ１のそれぞれの長さ方向、即ち、上記第１方向ＤＲ１に進行することができる。上記第１方向ＤＲ１に進行した光は、上記第１−１及び第２−１電極ＲＥＬ１＿１、ＲＥＬ２＿１によって反射されて上記正面方向に進行することができる。
【０１６３】
上記第２サブ発光領域ＳＥＭＡ２において、上記第１−２及び第２−２電極ＲＥＬ１＿２、ＲＥＬ２＿２が上記第１方向ＤＲ１に沿って延長されるため、上記第２棒状ＬＥＤＬＤ２のそれぞれは上記第２方向ＤＲ２に整列されることができる。
【０１６４】
上記第１−２及び第２−２電極ＲＥＬ１＿２、ＲＥＬ２＿２を介して上記第２棒状ＬＥＤＬＤ２のそれぞれの両端部ＥＰ１、ＥＰ２に所定電圧以上の電界を印加すると、上記第２棒状ＬＥＤＬＤ２のそれぞれの活性層１２において電子−正孔対が結合して上記第２棒状ＬＥＤＬＤ２が発光するようになる。
【０１６５】
上記第２棒状ＬＥＤＬＤ２から放出された光は、上記第２棒状ＬＥＤＬＤ２の長さ方向、即ち、上記第２方向ＤＲ２に進行することができる。上記第２方向ＤＲ２に進行した光は、上記第１−２及び第２−２電極ＲＥＬ１＿２、ＲＥＬ２＿２によって反射されて上記正面方向に進行することができる。
【０１６６】
本発明の一実施例では、上記第１及び第２棒状ＬＥＤＬＤ１、ＬＤ２が上記１つのサブ画素ＳＰ内で互いに異なる方向に整列されるため、上記第１及び第２棒状ＬＥＤＬＤ１、ＬＤ２のそれぞれから放出された光は、特定方向に集中しないことができる。これにより、上記発光装置は全領域にわたって均一な出光分布を有することができる。
【０１６７】
もし、既存の発光装置のように、上記第１及び第２棒状ＬＥＤＬＤ１、ＬＤ２が上記１つのサブ画素ＳＰで同じ方向、例えば、水平方向に整列されると、上記第１及び第２棒状ＬＥＤＬＤ１、ＬＤ２から放出された光は、上記水平方向に進行することができる。このような場合、上記第１及び第２棒状ＬＥＤＬＤ１、ＬＤ２の整列方向に沿って上記光が集中することがある。
【０１６８】
上記１つのサブ画素ＳＰ内で特定方向に上記光が集中すると、上記既存の発光装置の領域によって上記光の出光効率が異なることができる。上記領域による光の出光効率の差は、上記既存の発光装置を光源として採用した表示装置において画質不良を発生させることができる。
【０１６９】
このため、本発明の一実施例による発光装置は、上記第１及び第２棒状ＬＥＤＬＤ１、ＬＤ２を互いに異なる方向に整列することで、上記第１及び第２棒状ＬＥＤＬＤ１、ＬＤ２から放出された光が上記１つのサブ画素ＳＰ内で特定方向に集中しないようにすることができる。
【０１７０】
図５は図３の発光装置の単位発光領域を他の実施例に応じて示した平面図である。本発明の一実施例では、重複する説明を避けるために上述した一実施例と相違する点を中心として説明する。本実施例において特に説明しない部分は上述した一実施例に従い、同じ番号は同じ構成要素を、類似する番号は類似する構成要素を示す。
【０１７１】
図５に示された発光装置は、第１連結配線の一側端部が丸い形状からなり、上記第１連結配線と第２サブ発光領域の最上側に配置された電極の間の間隔を調整した点を除き、図３の発光装置と実質的に同一または類似する構成を有することができる。
【０１７２】
図５を参照すると、本発明の他の実施例による発光装置は、複数の単位発光領域を含む基板ＳＵＢ、バリア層ＢＲＬ、複数の棒状ＬＥＤＬＤ、第１及び第２隔壁ＰＷ１、ＰＷ２、第１及び第２電極ＲＥＬ１、ＲＥＬ２、第１及び第２整列配線ＡＲＬ１、ＡＲＬ２、第１及び第２コンタクト電極ＣＮＥ１、ＣＮＥ２を含んでもよい。
【０１７３】
上記第１電極ＲＥＬ１は、第２方向ＤＲ２に沿って延長された第１−１電極ＲＥＬ１＿１と、上記第２方向ＤＲ２に交差する第１方向ＤＲ１に沿って延長された第１−２電極ＲＥＬ１＿２と、を含んでもよい。
【０１７４】
上記第２電極ＲＥＬ２は、上記第２方向ＤＲ２に沿って延長された第２−１電極ＲＥＬ２＿１と、上記第１方向ＤＲ１に沿って延長された第２−２電極ＲＥＬ２＿２と、を含んでもよい。
【０１７５】
上記棒状ＬＥＤＬＤは、上記第１−１電極ＲＥＬ１＿１と上記第２−１電極ＲＥＬ２＿１の間に整列された第１棒状ＬＥＤＬＤ１と、上記第１−２電極ＲＥＬ１＿２と上記第２−２電極ＲＥＬ２＿２の間に整列された第２棒状ＬＥＤＬＤ２と、を含んでもよい。
【０１７６】
本発明の一実施例において、上記第１棒状ＬＥＤＬＤ１は、上記第１方向ＤＲ１に沿って整列され、上記第１方向ＤＲ１に第１及び第２端部ＥＰ１、ＥＰ２を含んでもよい。また、上記第２棒状ＬＥＤＬＤ２は、上記第２方向ＤＲ２に沿って整列され、上記第２方向ＤＲ２に第１及び第２端部ＥＰ１、ＥＰ２を含んでもよい。
【０１７７】
各単位発光領域は、上記第１棒状ＬＥＤＬＤ１が提供される第１サブ発光領域ＳＥＭＡ１と、上記第２棒状ＬＥＤＬＤ２が提供される第２サブ発光領域ＳＥＭＡ２と、を含んでもよい。
【０１７８】
上記第１−１及び第２−１電極ＲＥＬ１＿１、ＲＥＬ２＿１は上記第１サブ発光領域ＳＥＭＡ１に提供され、上記第１−２及び第２−２電極ＲＥＬ１＿２、ＲＥＬ２＿２は上記第２サブ発光領域ＳＥＭＡ２に提供されてもよい。
【０１７９】
上記各単位発光領域には、上記第１方向ＤＲ１に延長された第１連結配線ＣＮＬ１が提供されてもよい。
【０１８０】
上記第１連結配線ＣＮＬ１は、上記第１整列配線ＡＲＬ１に連結された一側端部と上記一側端部に対向する他側端部ＣＯＮを含んでもよい。上記第１連結配線ＣＮＬ１の他側端部ＣＯＮは丸い形状であってもよい。
【０１８１】
上記第１及び第２棒状ＬＥＤＬＤ１、ＬＤ２が対応するサブ発光領域に整列されるとき、上記第２整列配線ＡＲＬ２と上記第１連結配線ＣＮＬ１の他側端部の間（以下、「第１領域」という）に電界が集中することができる。上記第１領域に上記電界が集中すると、上記棒状ＬＥＤＬＤが上記第１領域に偏って整列されることができる。
【０１８２】
上記棒状ＬＥＤＬＤが一部領域に偏ることを防止するため、本発明の実施例では、上記第１連結配線ＣＮＬ１の他側端部ＣＯＮを丸い形状に設計し、上記第１領域に集中する電界を分散させることができる。
【０１８３】
また、本発明の一実施例では、上記第２サブ発光領域ＳＥＭＡ２の最上側に配置された１つの電極と上記第１連結配線ＣＮＬ１の間の間隔ｄ３を上記第１−２及び第２−２電極ＲＥＬ１＿２、ＲＥＬ２＿２の間の間隔ｄ２より大きく設計することができる。
【０１８４】
これは、上記第２サブ発光領域ＳＥＭＡ２の最上側に配置された１つの電極と上記第１連結配線ＣＮＬ１の間に電界が集中することを防止するためである。
【０１８５】
さらに、本発明の一実施例では、上記第１−２及び第２−２電極ＲＥＬ１＿２、ＲＥＬ２＿２のそれぞれと上記第１整列配線ＡＲＬ１の間の間隔ｄ４を上記第１−２及び第２−２電極ＲＥＬ１＿２、ＲＥＬ２＿２の間の間隔ｄ２より大きく設計することができる。
【０１８６】
図６は図３の発光装置の単位発光領域を他の実施例に応じて示した平面図であり、図７は図６のＩＩ〜ＩＩ’線に沿った断面図である。本発明の一実施例では、重複する説明を避けるために上述した一実施例と相違する点を中心として説明する。本実施例において特に説明しない部分は上述した一実施例に従い、同じ番号は同じ構成要素を、類似する番号は類似する構成要素を示す。
【０１８７】
図６及び図７に示した発光装置は、第１整列配線に重畳した第１絶縁パターンと第２整列配線に重畳した第２絶縁パターンを含むという点を除き、図３の発光装置と実質的に同一または類似の構成を有することができる。
【０１８８】
図６及び図７を参照すると、本発明の他の実施例による発光装置は、複数の単位発光領域を含む基板ＳＵＢ、バリア層ＢＲＬ、複数の棒状ＬＥＤＬＤ、第１及び第２隔壁ＰＷ１、ＰＷ２、第１及び第２電極ＲＥＬ１、ＲＥＬ２、第１及び第２整列配線ＡＲＬ１、ＡＲＬ２、第１及び第２コンタクト電極ＣＮＥ１、ＣＮＥ２を含んでもよい。
【０１８９】
上記第１電極ＲＥＬ１は、第２方向ＤＲ２に沿って延長された第１−１電極ＲＥＬ１＿１と、上記第２方向ＤＲ２に交差する第１方向ＤＲ１に沿って延長された第１−２電極ＲＥＬ１＿２と、を含んでもよい。
【０１９０】
上記第２電極ＲＥＬ２は、上記第２方向ＤＲ２に沿って延長された第２−１電極ＲＥＬ２＿１と、上記第１方向ＤＲ１に沿って延長された第２−２電極ＲＥＬ２＿２と、を含んでもよい。
【０１９１】
上記棒状ＬＥＤＬＤは、上記第１−１電極ＲＥＬ１＿１と上記第２−１電極ＲＥＬ２＿１の間に整列された第１棒状ＬＥＤＬＤ１と、上記第１−２電極ＲＥＬ１＿２と上記第２−２電極ＲＥＬ２＿２の間に整列された第２棒状ＬＥＤＬＤ２と、を含んでもよい。
【０１９２】
各単位発光領域は、上記第１棒状ＬＥＤＬＤ１が提供される第１サブ発光領域ＳＥＭＡ１と、上記第２棒状ＬＥＤＬＤ２が提供される第２サブ発光領域ＳＥＭＡ２と、を含んでもよい。
【０１９３】
上記発光装置は、上記各単位発光領域に提供される第１及び第２絶縁パターンＩＮＳＰ１、ＩＮＳＰ２をさらに含んでもよい。
【０１９４】
上記第１及び第２絶縁パターンＩＮＳＰ１、ＩＮＳＰ２は、上記棒状ＬＥＤＬＤを上記各単位発光領域に整列させるとき、電界が集中する領域に対応するように配置されてもよい。
【０１９５】
上記第１及び第２絶縁パターンＩＮＳＰ１、ＩＮＳＰ２は、上記電界が集中する領域において上記電界を部分的に遮蔽することができる。これにより、上記電界が集中する領域に上記棒状ＬＥＤＬＤが偏ることを防止することができる。
【０１９６】
上記電界が集中する領域は、例えば、上記第１整列配線ＡＲＬ１と上記第１−２電極ＲＥＬ１＿２との間及び上記第２整列配線ＡＲＬ２と上記第２−２電極ＲＥＬ２−２との間であってもよい。
【０１９７】
平面上で見たとき、上記第１絶縁パターンＩＮＳＰ１は、上記第１整列配線ＡＲＬ１及び上記第１−２電極ＲＥＬ１＿２と重畳するように提供されてもよく、上記第２絶縁パターンＩＮPS２は、上記第２整列配線ＡＲＬ２及び上記第２−２電極ＲＥＬ２＿２と重畳するように提供されてもよい。
【０１９８】
上記第１絶縁パターンＩＮＳＰ１は上記第１整列配線ＡＲＬ１の延長された方向に沿って延長され、上記第２絶縁パターンＩＮＳＰ1は上記第２整列配線ＡＲＬ２の延長された方向に沿って延長されてもよい。
【０１９９】
上記第１及び第２絶縁パターンＩＮＳＰ１、ＩＮＳＰ２は、上記棒状ＬＥＤＬＤのそれぞれの下部に配置された第１絶縁層ＩＮＳ１と同じ層に提供され、同じ物質を含んでもよい。
【０２００】
上記第１及び第２絶縁パターンＩＮＳＰ１、ＩＮＳＰ２と上記第１絶縁層ＩＮＳ１は無機材料を含む無機絶縁膜または有機材料を含む有機絶縁膜の何れか１つからなってもよい。
【０２０１】
本発明の一実施例において、上記第１及び第２絶縁パターンＩＮＳＰ１、ＩＮＳＰ２は、上記第２方向ＤＲ２に延長されたバー（Ｂａｒ）状に提供されてもよいが、これに限定されない。上記第１及び第２絶縁パターンＩＮＳＰ１、ＩＮＳＰ２は、上記電界が集中する領域に配置されて上記電界を遮蔽することができる範囲内で様々な形状に提供されてもよい。
【０２０２】
図８は図３の発光装置の単位発光領域を他の実施例に応じて示した平面図であり、図９は図８のＩＩＩ〜ＩＩＩ’線に沿った断面図である。本発明の一実施例では、重複する説明を避けるために上述した一実施例と相違する点を中心として説明する。本実施例において特に説明しない部分は上述した一実施例に従い、同じ番号は同じ構成要素を、類似する番号は類似する構成要素を示す。
【０２０３】
図８及び図９に示した発光装置は、第１絶縁パターン上に第１導電パターンが提供され、第２絶縁パターン上に第２導電パターンが提供される点を除き、図６の発光装置と実質的に同一または類似する構成を有することができる。
【０２０４】
図８及び図９を参照すると、本発明の他の実施例による発光装置は、複数の単位発光領域を含む基板ＳＵＢ、バリア層ＢＲＬ、複数の棒状ＬＥＤＬＤ、第１及び第２隔壁ＰＷ１、ＰＷ２、第１及び第２電極ＲＥＬ１、ＲＥＬ２、第１及び第２整列配線ＡＲＬ１、ＡＲＬ２、第１及び第２コンタクト電極ＣＮＥ１、ＣＮＥ２を含んでもよい。
【０２０５】
上記第１電極ＲＥＬ１は、第２方向ＤＲ２に沿って延長された第１−１電極ＲＥＬ１＿１と、上記第２方向ＤＲ２に交差する第１方向ＤＲ１に沿って延長された第１−２電極ＲＥＬ１＿２と、を含んでもよい。
【０２０６】
上記第２電極ＲＥＬ２は、上記第２方向ＤＲ２に沿って延長された第２−１電極ＲＥＬ２＿１と、上記第１方向ＤＲ１に沿って延長された第２−２電極ＲＥＬ２＿２と、を含んでもよい。
【０２０７】
上記棒状ＬＥＤＬＤは、上記第１−１電極ＲＥＬ１＿１と上記第２−１電極ＲＥＬ２＿１の間に整列された第１棒状ＬＥＤＬＤ１と、上記第１−２電極ＲＥＬ１＿２と上記第２−２電極ＲＥＬ２＿２の間に整列された第２棒状ＬＥＤＬＤ２と、を含んでもよい。
【０２０８】
各単位発光領域は、上記第１棒状ＬＥＤＬＤ１が提供される第１サブ発光領域ＳＥＭＡ１と、上記第２棒状ＬＥＤＬＤ２が提供される第２サブ発光領域ＳＥＭＡ２と、を含んでもよい。
【０２０９】
上記発光装置は、上記各単位発光領域に提供される第１及び第２絶縁パターンＩＮＳＰ１、ＩＮＳＰ２と、第１及び第２遮蔽導電パターンＳＣＰ１、ＳＣＰ２と、をさらに含んでもよい。
【０２１０】
上記第１及び第２絶縁パターンＩＮＳＰ１、ＩＮＳＰ２は、上記棒状ＬＥＤＬＤを上記各単位発光領域に整列させるとき、電界が集中する領域に対応するように配置されてもよい。
【０２１１】
上記第１及び第２絶縁パターンＩＮＳＰ１、ＩＮＳＰ２は、上記電界が集中する領域において上記電界を部分的に遮蔽することができる。これにより、上記電界が集中する領域に上記棒状ＬＥＤＬＤが偏ることを防止することができる。
【０２１２】
上記第１及び第２遮蔽導電パターンＳＣＰ１、ＳＣＰ２のそれぞれは、上記電界が集中する領域において上記電界をさらに遮蔽するために、上記第１及び第２絶縁パターンＩＮＳＰ１、ＩＮＳＰ２の何れか１つの絶縁パターン上に提供されてもよい。
【０２１３】
例えば、上記第１遮蔽導電パターンＳＣＰ１は上記第１絶縁パターンＩＮＳＰ１上に提供され、上記第２遮蔽導電パターンＳＣＰ２は上記第２絶縁パターンＩＮＳＰ２上に提供されてもよい。
【０２１４】
平面上で見たとき、上記第１遮蔽導電パターンＳＣＰ１は上記第１絶縁パターンＩＮＳＰ１の延長された方向に沿って延長され、上記第１絶縁パターンＩＮＳＰ１と重畳してもよい。また、上記第２遮蔽導電パターンＳＣＰ２は上記第２絶縁パターンＩＮＳＰ２の延長された方向に沿って延長され、上記第２絶縁パターンＩＮＳＰ２と重畳してもよい。
【０２１５】
本発明の一実施例において、上記第１及び第２遮蔽導電パターンＳＣＰ１、ＳＣＰ２は、上記第１コンタクト電極ＣＮＥ１と同じ層に提供され、同じ物質を含んでもよい。
【０２１６】
上記第１及び第２遮蔽導電パターンＳＣＰ１、ＳＣＰ２は、上記第１及び第２棒状ＬＥＤＬＤ１、ＬＤ２のそれぞれから放出された光の損失を最小化するために、透明な導電性材料からなってもよい。
【０２１７】
上記第１及び第２遮蔽導電パターンＳＣＰ１、ＳＣＰ２は、上記電界が集中する領域に配置されて上記電界を遮蔽することができる範囲内で様々な形状に提供されてもよい。
【０２１８】
図１０は本発明の一実施例による表示装置を示したものであり、特に、図１に示された棒状ＬＥＤＬＤを発光源として使用した表示装置の概略的な平面図である。
【０２１９】
図１及び図１０を参照すると、本発明の一実施例による表示装置は、基板ＳＵＢと、上記基板ＳＵＢ上に提供された画素ＰＸＬと、上記基板ＳＵＢ上に提供され、上記画素ＰＸＬを駆動する駆動部と、上記画素ＰＸＬと上記駆動部を連結する配線部（不図示）と、を含んでもよい。
【０２２０】
上記基板ＳＵＢは、表示領域ＤＡ及び非表示領域ＮＤＡを含んでもよい。
【０２２１】
上記表示領域ＤＡは、映像を表示する上記画素ＰＸＬが提供される領域であってもよい。上記非表示領域ＮＤＡは、上記画素ＰＸＬを駆動するための駆動部、及び上記画素ＰＸＬと上記駆動部を連結する配線部（不図示）の一部が提供される領域であってもよい。
【０２２２】
上記非表示領域ＮＤＡは上記表示領域ＤＡの少なくとも一側に提供されてもよい。本発明の一実施例において、上記非表示領域ＮＤＡは上記表示領域ＤＡの周りを取り囲んでもよい。
【０２２３】
上記画素ＰＸＬは上記基板ＳＵＢ上の上記表示領域ＤＡ内に提供されてもよい。上記画素ＰＸＬのそれぞれは映像を表示する最小単位であり、複数個で提供されることができる。上記画素ＰＸＬは、白色光及び／またはカラー光を出射する発光素子を含んでもよい。
【０２２４】
上記駆動部は上記配線部を介して各画素ＰＸＬに信号を提供し、これによって上記画素ＰＸＬの駆動を制御することができる。図１０には、説明の便宜上、上記配線部が省略されている。
【０２２５】
上記駆動部は、走査線を介して上記画素ＰＸＬに走査信号を提供する走査駆動部ＳＤＶと、発光制御線を介して上記画素ＰＸＬに発光制御信号を提供する発光駆動部ＥＤＶと、データ線を介して上記画素ＰＸＬにデータ信号を提供するデータ駆動部ＤＤＶと、タイミング制御部（不図示）と、を含んでもよい。上記タイミング制御部は、上記走査駆動部ＳＤＶ、上記発光駆動部ＥＤＶ、及び上記データ駆動部ＤＤＶを制御することができる。
【０２２６】
図１１は図１０に示した画素の何れか１つの画素に含まれた第１〜第３サブ画素を概略的に示した平面図であり、図１２は図１１のＩＶ〜ＩＶ’線に沿った断面図であり、図１３は図１１の第１及び第２整列配線と第１及び第２電極だけを示した平面図である。
【０２２７】
図１１では、図示の便宜上、上記棒状ＬＥＤに連結されるトランジスタ及び上記トランジスタに連結された信号配線の図示を省略した。
【０２２８】
本発明の一実施例では、重複する説明を避けるために上述した一実施例と相違する点を中心として説明する。本実施例において特に説明しない部分は上述した一実施例に従い、同じ番号は同じ構成要素を、類似する番号は類似する構成要素を示す。図１１において、単位発光領域は１つのサブ画素の画素領域であってもよい。
【０２２９】
図１〜図１３を参照すると、本発明の一実施例による表示装置は、複数の画素ＰＸＬが提供された基板ＳＵＢを含んでもよい。
【０２３０】
上記複数の画素ＰＸＬのそれぞれは、上記基板ＳＵＢ上に提供された第１サブ画素ＳＰ１、第２サブ画素ＳＰ２、及び第３サブ画素ＳＰ３を含んでもよい。
【０２３１】
上記第１〜第３サブ画素ＳＰ１、ＳＰ２、ＳＰ３のそれぞれは、上記基板ＳＵＢと、上記基板ＳＵＢ上に提供された画素回路部ＰＣＬと、上記画素回路部ＰＣＬ上に提供された表示素子層ＤＰＬと、を含んでもよい。
【０２３２】
上記画素回路部ＰＣＬは、上記基板ＳＵＢ上に配置されたバッファ層ＢＦＬと、上記バッファ層ＢＦＬ上に配置された第１及び第２トランジスタＴ１、Ｔ２と、駆動電圧配線ＤＶＬと、を含んでもよい。また、上記画素回路部ＰＣＬは、上記第１及び第２トランジスタＴ１、Ｔ２と上記駆動電圧配線ＤＶＬ上に提供された保護層ＰＳＶをさらに含んでもよい。
【０２３３】
上記表示素子層ＤＰＬは、上記保護層ＰＳＶ上に提供された第１及び第２隔壁ＰＷ１、ＰＷ２、第１及び第２電極ＲＥＬ１、ＲＥＬ２、第１及び第２整列配線ＡＲＬ１、ＡＲＬ２、棒状ＬＥＤＬＤ、第１及び第２コンタクト電極ＣＮＥ１、ＣＮＥ２を含んでもよい。
【０２３４】
便宜のため、上記画素回路部ＰＣＬを説明してから上記表示素子層ＤＰＬを説明する。
【０２３５】
上記バッファ層ＢＦＬは上記基板ＳＵＢ上に提供され、上記第１及び第２トランジスタＴ１、Ｔ２に不純物が拡散するのを防止することができる。
【０２３６】
上記第１トランジスタＴ１は、上記表示素子層ＤＰＬに備えられた上記棒状ＬＥＤＬＤの一部に電気的に連結されて対応する棒状ＬＥＤＬＤを駆動する駆動トランジスタであり、上記第２トランジスタＴ２は、上記第１トランジスタＴ１をスイッチングするスイッチングトランジスタであってもよい。
【０２３７】
上記第１及び第２トランジスタＴ１、Ｔ２のそれぞれは、半導体層ＳＣＬ、ゲート電極ＧＥ、ソース電極ＳＥ、及びドレイン電極ＤＥを含んでもよい。
【０２３８】
上記半導体層ＳＣＬは上記バッファ層ＢＦＬ上に配置されてもよい。上記半導体層ＳＣＬは、上記ドレイン電極ＤＥに接触される第１領域と上記ソース電極ＳＥに接触される第２領域を含んでもよい。上記第１領域と上記第２領域の間の領域はチャネル領域であってもよい。本発明の一実施例において、上記第１領域はドレイン領域で、上記第２領域はソース領域であってもよい。
【０２３９】
上記半導体層ＳＣＬは、ポリシリコン、アモルファスシリコン、酸化物半導体などからなる半導体パターンであってもよい。上記チャネル領域は不純物でドープされていない半導体パターンで、真性半導体であってもよい。上記第１領域及び上記第２領域は、上記不純物がドープされた半導体パターンであってもよい。
【０２４０】
上記ゲート電極ＧＥは、ゲート絶縁層ＧＩを挟んで上記半導体層ＳＣＬ上に提供されてもよい。
【０２４１】
上記ドレイン電極ＤＥと上記ソース電極ＳＥのそれぞれは、層間絶縁層ＩＬＤと上記ゲート絶縁層ＧＩを貫通するコンタクトホールを介して上記半導体層ＳＣＬの第１領域及び第２領域に接触されることができる。
【０２４２】
上記駆動電圧配線ＤＶＬは上記層間絶縁層ＩＬＤ上に提供されてもよい。上記駆動電圧配線ＤＶＬには第２駆動電源ＶＳＳが印加されてもよい。
【０２４３】
上記保護層ＰＳＶは、上記第１トランジスタＴ１のドレイン電極ＤＥを露出するコンタクトホール及び上記駆動電圧配線ＤＶＬを露出するコンタクトホールを含んでもよい。
【０２４４】
上記第１及び第２隔壁ＰＷ１、ＰＷ２は、上記保護層ＰＳＶ上において一定間隔離隔されてもよい。上記第１隔壁ＰＷ１上には上記第１電極ＲＥＬ１が提供され、上記第２隔壁ＰＷ２上には上記第２電極ＲＥＬ２が提供されてもよい。
【０２４５】
上記第１電極ＲＥＬ１は、第２方向ＤＲ２に沿って延長された第１−１電極ＲＥＬ１＿１と、上記第２方向ＤＲ２に交差する第１方向ＤＲ１に沿って延長された第１−２電極ＲＥＬ１＿２と、を含んでもよい。
【０２４６】
上記第１−１電極ＲＥＬ１＿１は、上記第１トランジスタＴ１の第１電極ＥＬ１の一部を露出する上記保護層ＰＳＶのコンタクトホールを介して上記第１トランジスタＴ１のドレイン電極ＤＥに電気的に連結されてもよい。これにより、上記第１−１電極ＲＥＬ１＿１には、上記第１トランジスタＴ１に印加された信号が伝達されることができる。
【０２４７】
上記第２電極ＲＥＬ２は、上記第２方向ＤＲ２に沿って延長された第２−１電極ＲＥＬ２＿１と、上記第１方向ＤＲ１に沿って延長された第２−２電極ＲＥＬ２＿２と、を含んでもよい。
【０２４８】
上記第２−１電極ＲＥＬ２＿１は、上記駆動電圧配線ＤＶＬの一部を露出する上記保護層ＰＳＶのコンタクトホールを介して上記駆動電圧配線ＤＶＬに電気的に連結されてもよい。これにより、上記第２−１電極ＲＥＬ２＿１には、上記駆動電圧配線ＤＶＬの第２駆動電源ＶＳＳが伝達されることができる。
【０２４９】
上記第１−１電極ＲＥＬ１＿１と上記第２−１電極ＲＥＬ２＿１上には、それぞれ第１−１キャップ層ＣＰＬ１＿１と第２−１キャップ層ＣＰＬ２＿１が提供されてもよい。
【０２５０】
上記第１電極ＲＥＬ１上には、上記第１電極ＲＥＬ１と対応する棒状ＬＥＤＬＤを電気的及び／または物理的に安定して連結するための上記第１コンタクト電極ＣＮＥ１が提供されてもよい。平面上で見たとき、上記第１コンタクト電極ＣＮＥ１は上記第１電極ＲＥＬ１に重畳されてもよい。
【０２５１】
上記対応する棒状ＬＥＤＬＤは、上記第１コンタクト電極ＣＮＥ１を介して上記第１電極ＲＥＬ１と電気的に連結されるため、上記第１トランジスタＴ１のドレイン電極ＤＥに印加された信号は上記対応する棒状ＬＥＤＬＤの両端部ＥＰ１、ＥＰ２の何れか１つの端部に最終的に印加されることができる。
【０２５２】
上記第１コンタクト電極ＣＮＥ１上には第３絶縁層ＩＮＳ３が提供されてもよい。
【０２５３】
上記第２電極ＲＥＬ２上には、上記第２電極ＲＥＬ２と対応する棒状ＬＥＤＬＤを電気的及び／または物理的に安定して連結するための上記第２コンタクト電極ＣＮＥ２が提供されてもよい。平面上で見たとき、上記第２コンタクト電極ＣＮＥ２は上記第２電極ＲＥＬ２に重畳されてもよい。
【０２５４】
上記対応する棒状ＬＥＤＬＤは、上記第２コンタクト電極ＣＮＥ２を介して上記第２電極ＲＥＬ２と電気的に連結されるため、上記駆動電圧配線ＤＶＬの第２駆動電源ＶＳＳは上記対応する棒状ＬＥＤＬＤの両端部ＥＰ１、ＥＰ２の何れか１つの端部に最終的に印加されることができる。
【０２５５】
上記対応する棒状ＬＥＤＬＤの両端部ＥＰ１、ＥＰ２に所定電圧以上が印加されると、上記対応する棒状ＬＥＤＬＤが発光するようになる。
【０２５６】
上記第２コンタクト電極ＣＮＥ２上には第４絶縁層ＩＮＳ４が提供され、上記第４絶縁層ＩＮＳ４上にはオーバーコート層ＯＣが提供されてもよい。
【０２５７】
上記第１整列配線ＡＲＬ１は、上記棒状ＬＥＤＬＤを対応するサブ画素に整列させるために上記第１電極ＲＥＬ１に上記第１整列電圧を伝達することができる。上記第２整列配線ＡＲＬ２は、上記棒状ＬＥＤＬＤを対応するサブ画素に整列させるために上記第２電極ＲＥＬ２に上記第２整列電圧を伝達することができる。
【０２５８】
本発明の一実施例では、上記第１整列配線ＡＲＬ１には上記第１整列電圧としてグラウンド電圧ＧＮＤが印加され、上記第２整列配線ＡＲＬ２には上記第２整列電圧として交流電圧が印加されてもよい。
【０２５９】
上記第１整列配線ＡＲＬ１と上記第２整列配線ＡＲＬ２のそれぞれに互いに異なる電圧レベルを有する所定の電圧が印加されることによって、上記第１電極ＲＥＬ１と上記第２電極ＲＥＬ２との間に電界が形成されることができる。
【０２６０】
上記棒状ＬＥＤＬＤのそれぞれは、第１導電性半導体層１１と、第２導電性半導体層１３と、上記第１及び第２導電性半導体層１１、１３との間に介在された活性層１２と、を含んでもよい。
【０２６１】
上記棒状ＬＥＤＬＤは、上記第１−１電極ＲＥＬ１＿１と上記第２−１電極ＲＥＬ２＿１の間に整列された第１棒状ＬＥＤＬＤ１と、上記第１−２電極ＲＥＬ１＿２と上記第２−２電極ＲＥＬ２＿２の間に整列された第２棒状ＬＥＤＬＤ２と、を含んでもよい。
【０２６２】
本発明の一実施例において、上記第１棒状ＬＥＤＬＤ１は、上記第１方向ＤＲ１に沿って整列され、上記第１方向ＤＲ１に第１及び第２端部ＥＰ１、ＥＰ２を含んでもよい。また、上記第２棒状ＬＥＤＬＤ２は、上記第２方向ＤＲ２に沿って整列され、上記第２方向ＤＲ２に第１及び第２端部ＥＰ１、ＥＰ２を含んでもよい。
【０２６３】
上記第１及び第２棒状ＬＥＤＬＤ１、ＬＤ２のそれぞれの下部には、第１絶縁層ＩＮＳ１が提供されてもよい。上記第１及び第２棒状ＬＥＤＬＤ１、ＬＤ２上には、上記第１及び第２棒状ＬＥＤＬＤ１、ＬＤ２のそれぞれの上面の一部をカバーする第２絶縁層ＩＮＳ２が提供されてもよい。
【０２６４】
上記第１〜第３サブ画素ＳＰ１〜ＳＰ３のそれぞれの単位発光領域は、上記第１棒状ＬＥＤＬＤ１が提供される第１サブ発光領域ＳＥＭＡ１と、上記第２棒状ＬＥＤＬＤ２が提供される第２サブ発光領域ＳＥＭＡ２と、を含んでもよい。
【０２６５】
以下では、図１３を参照して上記第１及び第２電極ＲＥＬ１、ＲＥＬ２と上記第１及び第２整列配線ＡＲＬ１、ＡＲＬ２の配置関係について説明する。
【０２６６】
図１３に示したように、上記第１〜第３サブ画素ＳＰ１〜ＳＰ３のそれぞれの上記第１サブ発光領域ＳＥＭＡ１には上記第１−１及び第２−１電極ＲＥＬ１＿１、ＲＥＬ２＿１が提供され、上記第２サブ発光領域ＳＥＭＡ２には上記第１−２及び第２−２電極ＲＥＬ１＿２、ＲＥＬ２＿２が提供されてもよい。
【０２６７】
上記第１−１電極ＲＥＬ１＿１は、上記第１方向ＤＲ１に延長された第１連結配線ＣＮＬ１から上記第２方向ＤＲ２に分岐され、上記第１サブ発光領域ＳＥＭＡ１内に複数個で提供されてもよい。
【０２６８】
上記第１連結配線ＣＮＬ１は、上記第１整列配線ＡＲＬ１に連結されて上記第１整列配線ＡＲＬ１の第１整列電圧を上記第１−１電極ＲＥＬ１＿１に伝達することができる。上記第１連結配線ＣＮＬ１は上記第１整列配線ＡＲＬ１に一体で提供され、同じ層に配置されてもよい。
【０２６９】
上記第２−１電極ＲＥＬ２＿１は、上記第１方向ＤＲ１に延長された第２連結配線ＣＮＬ２から上記第２方向ＤＲ２に分岐され、上記第１サブ発光領域ＳＥＭＡ１内に複数個で提供されてもよい。
【０２７０】
上記第２連結配線ＣＮＬ1は、上記第２整列配線ＡＲＬ２に連結されて上記第２整列配線ＡＲＬ２の第２整列電圧を上記第２−１電極ＲＥＬ２＿１に伝達することができる。上記第２連結配線ＣＮＬ1は上記第２整列配線ＡＲＬ２に一体で提供され、同じ層に配置されてもよい。
【０２７１】
上記第１サブ発光領域ＳＥＭＡ１において、上記第１−１電極ＲＥＬ１＿１と上記第２−１電極ＲＥＬ２＿１は上記第１方向ＤＲ１に沿って交互に配置されてもよい。
【０２７２】
上記棒状ＬＥＤＬＤを対応するサブ画素内に整列させるとき、上記第１及び第２整列配線ＡＲＬ１、ＡＲＬ２を介して上記第１−１及び第２−１電極ＲＥＬ１＿１、ＲＥＬ２＿１のそれぞれに所定電圧が印加されることができる。
【０２７３】
これにより、上記第１−１及び第２−１電極ＲＥＬ１＿１、ＲＥＬ２＿１の間に電界が形成され、上記棒状ＬＥＤＬＤのうち上記第１棒状ＬＥＤＬＤ１が上記第１−１及び第２−１電極ＲＥＬ１＿１、ＲＥＬ２＿１の間に整列されることができる。
【０２７４】
上記第１サブ発光領域ＳＥＭＡ１において、上記第１棒状ＬＥＤＬＤ１の両端部ＥＰ１、ＥＰ２の何れか１つが上記第１−１電極ＲＥＬ１＿１に連結され、残り１つが上記第２−１電極ＲＥＬ２＿１に連結されるため、上記第１棒状ＬＥＤＬＤ１は上記第１方向ＤＲ１に整列されることができる。
【０２７５】
上記第１−２電極ＲＥＬ１＿２は、上記第１整列配線ＡＲＬ１から上記第１方向ＤＲ１に分岐され、上記第２サブ発光領域ＳＥＭＡ1内に複数個で提供されてもよい。
【０２７６】
上記第２−２電極ＲＥＬ２＿２は、上記第２整列配線ＡＲＬ２から上記第１方向ＤＲ１に分岐され、上記第２サブ発光領域ＳＥＭＡ２内に複数個で提供されてもよい。
【０２７７】
上記第２サブ発光領域ＳＥＭＡ２において、上記第１−２電極ＲＥＬ１＿２と上記第２−２電極ＲＥＬ２＿２は上記第２方向ＤＲ２に沿って交互に配置されてもよい。
【０２７８】
上記棒状ＬＥＤＬＤを対応するサブ画素に整列させるとき、上記第１及び第２整列配線ＡＲＬ１、ＡＲＬ２を介して上記第１−２及び第２−２電極ＲＥＬ１＿２、ＲＥＬ２＿２のそれぞれに所定電圧が印加されることができる。
【０２７９】
これにより、上記第１−２及び第２−２電極ＲＥＬ１＿２、ＲＥＬ２＿２の間に電界が形成され、上記棒状ＬＥＤＬＤのうち上記第２棒状ＬＥＤＬＤ２が上記第１−２及び第２−２電極ＲＥＬ１＿２、ＲＥＬ２＿２の間に整列されることができる。
【０２８０】
上記第２サブ発光領域ＳＥＭＡ２において、上記第２棒状ＬＥＤＬＤ２の両端部ＥＰ１、ＥＰ２の何れか１つが上記第１−２電極ＲＥＬ１＿２に連結され、残り１つが上記第２−２電極ＲＥＬ２＿２に連結されるため、上記第２棒状ＬＥＤＬＤ２は上記第２方向ＤＲ２に整列されることができる。
【０２８１】
上記第１サブ発光領域ＳＥＭＡ１における上記第１−１及び第２−１電極ＲＥＬ１＿１、ＲＥＬ２＿１の間の間隔ｄ１と上記第２サブ発光領域ＳＥＭＡ２における上記第１−２及び第２−２電極ＲＥＬ１＿２、ＲＥＬ２＿２の間の間隔ｄ２は、同一に設計されてもよい。
【０２８２】
上述したように、上記第１及び第２棒状ＬＥＤＬＤ１、ＬＤ２が対応するサブ発光領域において互いに異なる方向に整列されるため、上記第１及び第２棒状ＬＥＤＬＤ１、ＬＤ２のそれぞれから放出された光は特定方向に集中しないことができる。これにより、上記表示装置は全領域にわたって均一な出光分布を有することができる。
【０２８３】
図１４〜図１６は、図１１の表示装置において、１つの画素内に配置された第１及び第２整列配線、第１及び第２電極を他の実施例に応じて示した平面図である。本発明の一実施例では、重複する説明を避けるために上述した一実施例と相違する点を中心として説明する。本実施例において特に説明しない部分は上述した一実施例に従い、同じ番号は同じ構成要素を、類似する番号は類似する構成要素を示す。
【０２８４】
図１４〜図１６では、便宜上、第１及び第２サブ発光領域に提供される第１及び第２電極、第１及び第２連結配線、第１及び第２整列配線だけを示した。
【０２８５】
まず、図１１、図１２及び図１４を参照すると、本発明の一実施例による表示装置は、複数の画素ＰＸＬが提供される基板ＳＵＢを含んでもよい。各画素ＰＸＬは、第１〜第３サブ画素ＳＰ１〜ＳＰ３を含んでもよい。
【０２８６】
上記第１〜第３サブ画素ＳＰ１〜ＳＰ３のそれぞれは、第１及び第２サブ発光領域ＳＥＭＡ１、ＳＥＭＡ２を含んでもよい。
【０２８７】
本発明の一実施例において、上記第１及び第３サブ画素ＳＰ１、ＳＰ３のそれぞれの第１サブ発光領域ＳＥＭＡ１には、第２方向ＤＲ２に延長された第１−１及び第２−１電極ＲＥＬ１＿１、ＲＥＬ２＿１が提供されてもよい。
【０２８８】
上記第１及び第３サブ画素ＳＰ１、ＳＰ３のそれぞれの第２サブ発光領域ＳＥＭＡ２には、上記第２方向ＤＲ２と交差した第１方向ＤＲ１に延長された第１−２及び第２−２電極ＲＥＬ１＿２、ＲＥＬ２＿２が提供されてもよい。
【０２８９】
上記第１及び第３サブ画素ＳＰ１、ＳＰ３において、上記第１サブ発光領域ＳＥＭＡ１には第１棒状ＬＥＤＬＤ１が提供され、上記第２サブ発光領域ＳＥＭＡ２には第２棒状ＬＥＤＬＤ２が提供されてもよい。
【０２９０】
上記第２サブ画素ＳＰ２の第１サブ発光領域ＳＥＭＡ１には、上記第１方向ＤＲ１に延長された第１−２及び第２−２電極ＲＥＬ１＿２、ＲＥＬ２＿２が提供され、上記第２サブ発光領域ＳＥＭＡ２には、上記第２方向ＤＲ２に延長された第１−１及び第２−１電極ＲＥＬ１＿１、ＲＥＬ２＿１が提供されてもよい。
【０２９１】
上記第２サブ画素ＳＰ２において、上記第１サブ発光領域ＳＥＭＡ１には上記第２棒状ＬＥＤＬＤ２が提供され、上記第２サブ発光領域ＳＥＭＡ２には上記第１棒状ＬＥＤＬＤ１が提供されてもよい。
【０２９２】
上記第１及び第３サブ画素ＳＰ１、ＳＰ３のそれぞれの第１サブ発光領域ＳＥＭＡ１において、上記第１棒状ＬＥＤＬＤ１は上記第１方向ＤＲ１に整列されてもよい。上記第２サブ画素ＳＰ２の第２サブ発光領域ＳＥＭＡ２において、上記第１棒状ＬＥＤＬＤ１は上記第２方向ＤＲ２に整列されてもよい。
【０２９３】
上記第１及び第３サブ画素ＳＰ１、ＳＰ３のそれぞれの第２サブ発光領域ＳＥＭＡ２において、上記第２棒状ＬＥＤＬＤ２は上記第２方向ＤＲ２に整列されてもよい。上記第２サブ画素ＳＰ２の第１サブ発光領域ＳＥＭＡ１において、上記第２棒状ＬＥＤＬＤ２は上記第１方向ＤＲ１に整列されてもよい。
【０２９４】
上述したように、隣接する２つのサブ画素のそれぞれの第１サブ発光領域ＳＥＭＡ１に提供される棒状ＬＥＤＬＤが異なる方向に整列され、隣接する２つのサブ画素のそれぞれの第２サブ発光領域ＳＥＭＡ２に提供される棒状ＬＥＤＬＤが異なる方向に整列されてもよい。
【０２９５】
これにより、上記第１及び第２棒状ＬＥＤＬＤ１、ＬＤ２のそれぞれから放出された光は特定方向にさらに集中せずに様々な方向に進行することができる。従って、上記表示装置は全領域にわたって均一な出光分布を有することができる。
【０２９６】
図１１、図１２、及び図１５を参照すると、本発明の一実施例による表示装置は、複数の画素ＰＸＬが提供される基板ＳＵＢを含んでもよい。各画素ＰＸＬは、第１〜第３サブ画素ＳＰ１〜ＳＰ３を含んでもよい。
【０２９７】
上記第１〜第３サブ画素ＳＰ１、ＳＰ２、ＳＰ３のそれぞれの単位発光領域は、第１及び第２サブ発光領域ＳＥＭＡ１、ＳＥＭＡ２を含んでもよい。
【０２９８】
上記第１〜第３サブ画素ＳＰ１〜ＳＰ３のそれぞれの上記第１サブ発光領域ＳＥＭＡ１には第１−１及び第２−１電極ＲＥＬ１＿１、ＲＥＬ２＿１が提供され、上記第２サブ発光領域ＳＥＭＡ２には第１−２及び第２−２電極ＲＥＬ１＿２、ＲＥＬ２＿２が提供されてもよい。
【０２９９】
上記第１−１電極ＲＥＬ１＿１は、第１連結配線ＣＮＬ１から第２方向ＤＲ２に沿って分岐されて上記第１サブ発光領域ＳＥＭＡ１に提供されてもよい。上記第１連結配線ＣＮＬ１は上記第１−１電極ＲＥＬ１＿１と一体で提供されてもよい。
【０３００】
上記第２−１電極ＲＥＬ２＿１は、第２連結配線ＣＮＬ２から上記第２方向ＤＲ２に沿って分岐されて上記第１サブ発光領域ＳＥＭＡ１に提供されてもよい。上記第２連結配線ＣＮＬ２は上記第２−１電極ＲＥＬ２＿１と一体で提供されてもよい。
【０３０１】
上記第１−２電極ＲＥＬ１＿２は上記第２方向ＤＲ２に交差する第１方向ＤＲ１に沿って上記第２サブ発光領域ＳＥＭＡ２に延長され、上記第２−２電極ＲＥＬ２＿２も上記第１方向ＤＲ１に沿って上記第２サブ発光領域ＳＥＭＡ２に延長されてもよい。
【０３０２】
本発明の一実施例において、上記第１〜第３サブ画素ＳＰ１〜ＳＰ３のそれぞれの上記第１サブ発光領域ＳＥＭＡ１には、上記第１方向ＤＲ１に整列された第１棒状ＬＥＤＬＤ１が提供されてもよい。また、上記第１〜第３サブ画素ＳＰ１〜ＳＰ３のそれぞれの上記第２サブ発光領域ＳＥＭＡ２には、上記第２方向ＤＲ２に整列された第２棒状ＬＥＤＬＤ２が提供されてもよい。
【０３０３】
上記第１サブ発光領域ＳＥＭＡ１において、上記第１連結配線ＣＮＬ１は第１コンタクトホールＨ１を介して第１整列配線ＡＲＬ１に電気的に連結され、上記第２連結配線ＣＮＬ２は第２コンタクトホールＨ２を介して第２整列配線ＡＲＬ２に電気的に連結されてもよい。
【０３０４】
上記第２サブ発光領域ＳＥＭＡ２において、上記第１−２電極ＲＥＬ１＿２は第３コンタクトホールＨ３を介して上記第１整列配線ＡＲＬ１に連結され、上記第２−２電極ＲＥＬ２＿1は第４コンタクトホールＨ４を介して上記第２整列配線ＡＲＬ２に連結されてもよい。
【０３０５】
上記第１連結配線ＣＮＬ１、上記第１−１及び第１−２電極ＲＥＬ１＿１、ＲＥＬ１＿２は、上記第１整列配線ＡＲＬ１と異なる層に提供されてもよい。本発明の一実施例において、上記第１整列配線ＡＲＬ１は、画素回路部ＰＣＬに含まれた構成要素の何れか１つと同じ層に提供されてもよい。例えば、上記第１整列配線ＡＲＬ１は上記画素回路部ＰＣＬの駆動電圧配線ＤＶＬと同じ層に提供されることができる。
【０３０６】
上記第２連結配線ＣＮＬ２、上記第２−１及び第２−２電極ＲＥＬ２＿１、ＲＥＬ２＿２は、上記第２整列配線ＡＲＬ２と異なる層に提供されてもよい。本発明の一実施例において、上記第２整列配線ＡＲＬ２は上記第１整列配線ＡＲＬ１と同じ層に提供されてもよい。
【０３０７】
図１１、図１２、及び図１６を参照すると、本発明の一実施例による表示装置は、複数の画素ＰＸＬが提供される基板ＳＵＢを含んでもよい。各画素ＰＸＬは第１〜第３サブ画素ＳＰ１〜ＳＰ３を含んでもよい。
【０３０８】
上記第１〜第３サブ画素ＳＰ１〜ＳＰ３のそれぞれは単位発光領域ＥＭＡを含んでもよい。
【０３０９】
上記第１〜第３サブ画素ＳＰ１〜ＳＰ３のそれぞれは、電気的に互いに分離された第１及び第２電極ＲＥＬ１、ＲＥＬ２と、上記第１電極ＲＥＬ１に連結された第１整列配線ＡＲＬ１と、上記第２電極ＲＥＬ２に連結された第２整列配線ＡＲＬ２と、を含んでもよい。
【０３１０】
上記第１電極ＲＥＬ１は、第２方向ＤＲ２に延長された上記第１整列配線ＡＲＬ１から上記第２方向ＤＲ２と交差する第１方向ＤＲ１に分岐された複数の枝電極ＢＲＥ１〜ＢＲＥ５を含んでもよい。上記枝電極ＢＲＥ１〜ＢＲＥ５のそれぞれは、上記第２方向ＤＲ２に隣接して配置された枝電極と一定間隔離隔されてもよい。
【０３１１】
上記枝電極ＢＲＥ１〜ＢＲＥ５は、上記第１方向ＤＲ１に沿って上記第１整列配線ＡＲＬ１の両側に延長されてもよい。上記枝電極ＢＲＥ１〜ＢＲＥ５は上記第１整列配線ＡＲＬ１と一体で提供されてもよい。
【０３１２】
上記第２電極ＲＥＬ２は、上記第２方向ＤＲ２に延長された上記第２整列配線ＡＲＬ２から上記第１方向ＤＲ１に突出した複数の突出電極ＰＲＥ１〜ＰＲＥ６を含んでもよい。上記突出電極ＰＲＥ１〜ＰＲＥ６は上記第２整列配線ＡＲＬ２と一体で提供されてもよい。
【０３１３】
上記突出電極ＰＲＥ１〜ＰＲＥ６のそれぞれは、上記第２方向ＤＲ２に隣接する突出電極と一定間隔離隔され、その間に空洞ＶＯが提供されてもよい。
【０３１４】
本発明の一実施例において、上記第１電極ＲＥＬ１の１つの枝電極は、上記第２電極ＲＥＬ２の空洞ＶＯに対応するように配置されてもよい。平面上で見たとき、上記第１電極ＲＥＬ１の１つの枝電極は、上記第２電極ＲＥＬ２の１つの突出電極と離隔して配置されてもよい。
【０３１５】
上記第２電極ＲＥＬ２は、上記第１電極ＲＥＬ１の周りを取り囲む形状に提供されてもよい。
【０３１６】
棒状ＬＥＤＬＤを対応するサブ画素内に整列させるとき、上記第１及び第２整列配線ＡＲＬ１、ＡＲＬ２を介して上記第１及び第２電極ＲＥＬ１、ＲＥＬ２のそれぞれに所定電圧が印加されることができる。これにより、上記第１及び第２電極ＲＥＬ１、ＲＥＬ２の間に電界が形成され、上記棒状ＬＥＤＬＤが上記第１及び第２電極ＲＥＬ１、ＲＥＬ２の間に整列されることができる。
【０３１７】
上記棒状ＬＥＤＬＤの一部は上記第１方向ＤＲ１に整列され、他の一部は上記第２方向ＤＲ２に整列されてもよく、残りは上記第１及び第２方向ＤＲ１、ＤＲ２の斜線方向に整列されてもよい。
【０３１８】
上述したように、上記棒状ＬＥＤＬＤが対応する単位発光領域ＥＭＡで互いに異なる方向に整列されるため、上記棒状ＬＥＤＬＤのそれぞれから放出された光は、特定方向に集中しないことができる。
【０３１９】
図１７ａ〜図１７ｃは、図１１の表示装置において、１つのサブ画素内に配置された第１及び第２整列配線、第１及び第２電極を他の実施例に応じて示した平面図である。本発明の一実施例では、重複する説明を避けるために上述した一実施例と相違する点を中心として説明する。本実施例において特に説明しない部分は上述した一実施例に従い、同じ番号は同じ構成要素を、類似する番号は類似する構成要素を示す。
【０３２０】
図１１、図１７ａ〜図１７ｃを参照すると、本発明の一実施例による表示装置は、複数の画素ＰＸＬが提供された基板ＳＵＢを含んでもよい。各画素ＰＸＬは第１〜第３サブ画素ＳＰ１〜ＳＰ３を含んでもよい。
【０３２１】
上記第１サブ画素ＳＰ１は、電気的に互いに分離された第１及び第２電極ＲＥＬ１、ＲＥＬ２と、上記第１電極ＲＥＬ１に連結された第１整列配線ＡＲＬ１と、上記第２電極ＲＥＬ２に連結された第２整列配線ＡＲＬ２と、を含んでもよい。
【０３２２】
上記第１整列配線ＡＲＬ１は第２方向ＤＲ２に沿って延長され、上記第１電極ＲＥＬ１と一体で提供されてもよい。上記第２整列配線ＡＲＬ２は上記第２方向ＤＲ２に沿って延長され、上記第２電極ＲＥＬ２と一体で提供されてもよい。
【０３２３】
上記第１サブ画素ＳＰ１の単位発光領域は、第１及び第２サブ発光領域ＳＥＭＡ１、ＳＥＭＡ２を含んでもよい。
【０３２４】
上記第１電極ＲＥＬ１は、上記第１整列配線ＡＲＬ１から分岐された第１−１及び第１−２電極ＲＥＬ１＿１、ＲＥＬ１＿２を含んでもよい。上記第２電極ＲＥＬ２は、上記第２整列配線ＡＲＬ２から第２−１及び第２−２電極ＲＥＬ２＿１、ＲＥＬ２＿２を含んでもよい。
【０３２５】
上記第１−１及び第２−１電極ＲＥＬ１＿１、ＲＥＬ２＿１は上記第１サブ発光領域ＳＥＭＡ１に提供され、上記第１−２及び第２−２電極ＲＥＬ１＿２、ＲＥＬ２＿２は上記第２サブ発光領域ＳＥＭＡ２に提供されてもよい。
【０３２６】
上記第１サブ発光領域ＳＥＭＡ１において、上記第２−１電極ＲＥＬ２＿１は上記第１−１電極ＲＥＬ１＿１の周りを取り囲む形状に提供されてもよい。上記第１−１電極ＲＥＬ１＿１と上記第２−１電極ＲＥＬ２＿１は一定間隔離隔して電気的に互いに分離された状態であってもよい。
【０３２７】
上記第１−１電極ＲＥＬ１＿１は、平面上で見たとき、四角状、円形、多角状などからなってもよいが、これに限定されず、様々な形状で提供されてもよい。上記第１−１電極ＲＥＬ１＿１の周りを取り囲む上記第２−１電極ＲＥＬ２＿１は、上記第１−１電極ＲＥＬ１＿１の形状に対応する形状で提供されてもよい。
【０３２８】
上記第２サブ発光領域ＳＥＭＡ２において、上記第２−２電極ＲＥＬ２＿２は、上記第１−２電極ＲＥＬ１＿２の周りを取り囲む形状で提供されてもよい。上記第１−２電極ＲＥＬ１＿２と上記第２−２電極ＲＥＬ２＿２は一定間隔離隔して電気的に互いに分離された状態であってもよい。
【０３２９】
上記第１−２電極ＲＥＬ１＿２は、平面上で見たとき、四角状、円形、多角状などからなってもよいが、これに限定されず、様々な形状で提供されてもよい。上記第１−２電極ＲＥＬ１＿２の周りを取り囲む上記第２−２電極ＲＥＬ２＿２は、上記第１−２電極ＲＥＬ１＿２の形状に対応する形状で提供されることができる。
【０３３０】
上記第１およびサブ発光領域ＳＥＭＡ１における上記第１−１及び第２−１電極ＲＥＬ１＿１、ＲＥＬ２＿１の間の間隔ｄ１と上記第２サブ発光領域ＳＥＭＡ２における上記第１−２及び第２−２電極ＲＥＬ１＿２、ＲＥＬ２＿２の間の間隔ｄ２は、同一に設計されてもよい。
【０３３１】
棒状ＬＥＤＬＤを上記第１サブ画素ＳＰ１内に整列させるとき、上記第１及び第２整列配線ＡＲＬ１、ＡＲＬ２を介して上記第１及び第２電極ＲＥＬ１、ＲＥＬ２のそれぞれに所定電圧が印加されることができる。
【０３３２】
これにより、上記第１及び第２電極ＲＥＬ１、ＲＥＬ２の間に電界が形成され、上記棒状ＬＥＤＬＤが上記第１及び第２電極ＲＥＬ１、ＲＥＬ２の間に整列されることができる。
【０３３３】
上記棒状ＬＥＤＬＤは、上記第１及び第２電極ＲＥＬ１、ＲＥＬ２の間で上記第２方向ＤＲ２に整列されてもよく、上記第２方向ＤＲ２と交差する第１方向ＤＲ１に整列されてもよい。
【０３３４】
上記第２及び第３サブ画素ＳＰ２、ＳＰ３は、上記第１サブ画素ＳＰ１と同じ形状で提供されることができるため、上記第２及び第３サブ画素ＳＰ２、ＳＰ３に対する説明は省略する。
【０３３５】
図１８ａ〜図１８ｄ、図１９ａ〜図１９ｄ、及び図２０ａ〜図２０ｄは、図１１の表示装置において、１つのサブ画素内に配置された第１及び第２整列配線、第１及び第２電極を他の実施例に応じて示した平面図である。本発明の一実施例では、重複する説明を避けるために上述した一実施例と相違する点を中心として説明する。本実施例において特に説明しない部分は上述した一実施例に従い、同じ番号は同じ構成要素を、類似する番号は類似する構成要素を示す。
【０３３６】
図１１、図１８ａ〜図１８ｄ、図１９ａ〜図１９ｄ、及び図２０ａ〜図２０ｄを参照すると、本発明の一実施例による表示装置は、複数の画素ＰＸＬが提供された基板ＳＵＢを含んでもよい。各画素ＰＸＬは第１〜第３サブ画素ＳＰ１〜ＳＰ３を含んでもよい。
【０３３７】
上記第１サブ画素ＳＰ１は、互いに電気的に分離された第１及び第２電極ＲＥＬ１、ＲＥＬ２と、上記第１電極ＲＥＬ１に連結された第１整列配線ＡＲＬ１と、上記第２電極ＲＥＬ２に連結された第２整列配線ＡＲＬ２と、を含んでもよい。
【０３３８】
上記第１整列配線ＡＲＬ１は第２方向ＤＲ２に沿って延長され、上記第１電極ＲＥＬ１と一体で提供され、同じ層に配置されてもよいが、本発明はこれに限定されない。
【０３３９】
実施例によって、上記第１整列配線ＡＲＬ１は、図１８ａ、図１８ｂ、図１８ｄ、図１９ａ、図１９ｂ、図１９ｄ、図２０ａ、図２０ｂ、及び図２０ｄに示したように第１コンタクトホールＣＨ１を介して上記第１電極ＲＥＬ１に電気的に連結されてもよい。このような場合、上記第１整列配線ＡＲＬ１は上記第１電極ＲＥＬ１と異なる層に提供されてもよい。
【０３４０】
上記第２整列配線ＡＲＬ２は上記第２方向に沿って延長され、上記第２電極ＲＥＬ２と一体で提供され、同じ層に配置されてもよいが、本発明はこれに限定されない。
【０３４１】
実施例によって、上記第２整列配線ＡＲＬ２は、図１８ｂ、図１８ｄ、図１９ｂ、図１９ｄ、図２０ｂ、及び図２０ｄに示したように第２コンタクトホールＣＨ２を介して上記第２電極ＲＥＬ２に電気的に連結されてもよい。このような場合、上記第２整列配線ＡＲＬ２は上記第２電極ＲＥＬ２と異なる層に提供されてもよい。
【０３４２】
上記第１電極ＲＥＬ１は、上記第１サブ画素ＳＰ１の単位発光領域内で少なくとも１つ以上提供されてもよい。
【０３４３】
上記第１及び第２電極ＲＥＬ１、ＲＥＬ２の何れか１つは他の１つの内部に提供されてもよい。例えば、上記第１電極ＲＥＬ１が上記第２電極ＲＥＬ２の内部に配置され、上記第２電極ＲＥＬ２と電気的に分離されてもよい。
【０３４４】
本発明の一実施例において、上記第１電極ＲＥＬ１は四角状、円形、多角状などからなってもよいが、これに限定されず、様々な形状で提供されてもよい。上記第１電極ＲＥＬ１の周りを取り囲む上記第２電極ＲＥＬ２は、上記第１電極ＲＥＬ１の形状に対応する形状で提供されてもよい。
【０３４５】
平面上で見たとき、上記第２電極ＲＥＬ２は上記第１電極ＲＥＬ１の周りを取り囲む形状で提供されてもよい。上記第１電極ＲＥＬ１は上記第２電極ＲＥＬ２に取り囲まれた孤立した島状に提供されてもよいが、本発明はこれに限定されない。
【０３４６】
実施例によって、上記第１電極ＲＥＬ１の一部領域は、図１８ｃ、図１８ｄ、図１９ｃ、図１９ｄ、図２０ｃ、及び図２０ｄに示したように上記第２電極ＲＥＬ２に取り囲まれなくてもよい。このような場合、上記第１電極ＲＥＬ１は、上記第２方向ＤＲ２に隣接して配置された第１電極ＲＥＬ１と一体で提供されて電気的に連結されることができる。
【０３４７】
上記第１電極ＲＥＬ１が上記第２電極ＲＥＬ２によって完全に取り囲まれた孤立した島状である場合、上記第１電極ＲＥＬ１は、図１８ａ、図１８ｂ、図１９ａ、図１９ｂ、図２０ａ、及び図２０ｂに示したように上記第１コンタクトホールＣＨ１を介して上記第１整列配線ＡＲＬ１に連結されることができる。
【０３４８】
また、上記第１電極ＲＥＬ１が上記第２電極ＲＥＬ２によって完全に取り囲まれた孤立した島状である場合、上記第１電極ＲＥＬ１は、上記第２方向ＤＲ２に隣接して配置された第１電極ＲＥＬ１と一定間隔離隔されてもよい。
【０３４９】
棒状ＬＥＤＬＤを上記第１サブ画素ＳＰ１内に整列させるとき、上記第１及び第２整列配線ＡＲＬ１、ＡＲＬ２を介して上記第１及び第２電極ＲＥＬ１、ＲＥＬ２のそれぞれに所定電圧が印加されることができる。これにより、上記第１及び第２電極ＲＥＬ１、ＲＥＬ２の間に電界が形成されることができる。
【０３５０】
上記第１及び第２電極ＲＥＬ１、ＲＥＬ２の間に形成された上記電界によって上記棒状ＬＥＤＬＤが上記第１サブ画素ＳＰ１の単位発光領域内で上記第１電極ＲＥＬ１の周りに沿って整列されることができる。上記棒状ＬＥＤＬＤは様々な方向に整列されることができる。
【０３５１】
上記第１電極ＲＥＬ１が図１８ａ〜図１８ｄに示したように四角状である場合、上記棒状ＬＥＤＬＤの一部は上記第１方向ＤＲ１に整列され、他の一部は上記第２方向ＤＲ２に整列されてもよく、残りは上記第１及び第２方向ＤＲ１、ＤＲ２の斜線方向に整列されてもよい。
【０３５２】
上記第１電極ＲＥＬ１が図１９ａ〜図１９ｄに示したように円形である場合、上記第１及び第２電極ＲＥＬ１、ＲＥＬ２の間には放射状の電界が形成されることができる。これにより、上記棒状ＬＥＤＬＤは、上記第１電極ＲＥＬ１の円周に沿って様々な方向に整列されることができる。
【０３５３】
上記第１電極ＲＥＬ１が図２０ａ〜図２０ｄに示したように多角の菱形である場合、上記棒状ＬＥＤＬＤの大半は上記第１及び第２方向ＤＲ１、ＤＲ２の斜線方向に整列され、残りの一部は上記第１方向ＤＲ１及び／または上記第２方向ＤＲ２に整列されることができる。
【０３５４】
一方、図１８ｃ、図１８ｄ、図１９ｃ、図１９ｄ、図２０ｃ、及び図２０ｄに示したように、上記第１電極ＲＥＬ１の一部領域が上記第２電極ＲＥＬ２により取り囲まれないと、上記一部領域に上記電界が集中することができる。このような場合、上記一部領域に上記棒状ＬＥＤＬＤが偏って整列されることができる。
【０３５５】
これを防止するために、上記一部領域に遮蔽手段（不図示）を配置することで、上記一部領域に集中する上記電界を部分的に遮蔽することができる。
【０３５６】
上記第２及び第３サブ画素ＳＰ２、ＳＰ３は、上記第１サブ画素ＳＰ１と同じ形状で提供されることができるため、上記第２及び第３サブ画素ＳＰ２、ＳＰ３に対する説明を省略する。
【０３５７】
本発明の一実施例による表示装置は多様な電子機器に採用されることができる。例えば、表示装置は、テレビジョン、ノート型パソコン、携帯電話、スマートフォン、スマートパッド（ＰＤ）、ポータブルマルチメディアプレーヤー（ＰＭＰ）、パーソナルデジタルアシスタント（ＰＤＡ）、ナビゲーション、スマートウォッチなどの各種ウェアラブル機器などに適用されることができる。
【０３５８】
以上では、本発明の好ましい実施例を参照して説明したが、該当技術分野の熟練した当業者または該当技術分野で通常の知識を有する者であれば、添付の特許請求の範囲に記載された本発明の思想及び技術領域から外れない範囲内で本発明を多様に修正及び変更できることが理解できるだろう。
【０３５９】
従って、本発明の技術的範囲は、明細書の詳細な説明に記載された内容に限定されるものではなく、特許請求の範囲によって定められるべきである。
【図１】
2021529999.tif 000003
【図２ａ】
2021529999.tif 000004
【図２ｂ】
2021529999.tif 000005
【図３】
2021529999.tif 000006
【図４】
2021529999.tif 000007
【図５】
2021529999.tif 000008
【図６】
2021529999.tif 000009
【図７】
2021529999.tif 000010
【図８】
2021529999.tif 000011
【図９】
2021529999.tif 000012
【図１０】
2021529999.tif 000013
【図１１】
2021529999.tif 000014
【図１２】
2021529999.tif 000015
【図１３】
2021529999.tif 000016
【図１４】
2021529999.tif 000017
【図１５】
2021529999.tif 000018
【図１６】
2021529999.tif 000019
【図１７ａ】
2021529999.tif 000020
【図１７ｂ】
2021529999.tif 000021
【図１７ｃ】
2021529999.tif 000022
【図１８ａ】
2021529999.tif 000023
【図１８ｂ】
2021529999.tif 000024
【図１８ｃ】
2021529999.tif 000025
【図１８ｄ】
2021529999.tif 000026
【図１９ａ】
2021529999.tif 000027
【図１９ｂ】
2021529999.tif 000028
【図１９ｃ】
2021529999.tif 000029
【図１９ｄ】
2021529999.tif 000030
【図２０ａ】
2021529999.tif 000031
【図２０ｂ】
2021529999.tif 000032
【図２０ｃ】
2021529999.tif 000033
【図２０ｄ】
2021529999.tif 000034
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
複数の単位発光領域を含む基板と、
前記基板上に提供され、第１方向に第１端部と第２端部を有する少なくとも１つの第１発光素子と、
前記第１方向と交差する第２方向に第１端部と第２端部を有する少なくとも１つの第２発光素子と、
前記第１及び第２発光素子のそれぞれの第１及び第２端部の何れか１つに連結された第１電極と残り１つに連結された第２電極と、
前記基板上において前記第２方向に沿って延長され、前記第１電極に連結された第１整列配線と、
前記第１整列配線と一定間隔離隔され、前記第２電極に連結された第２整列配線と、を含むことを特徴とする発光装置。
【請求項２】
各単位発光領域は、前記第１発光素子が提供される第１サブ発光領域と前記第２発光素子が提供される第２サブ発光領域を含むことを特徴とする請求項１に記載の発光装置。
【請求項３】
前記第１電極は、前記第１サブ発光領域に提供された第１−１電極と前記第２サブ発光領域に提供された第１−２電極を含み、
前記第２電極は、前記第１サブ発光領域に提供された第２−１電極と前記第２サブ発光領域に提供された第２−２電極を含むことを特徴とする請求項２に記載の発光装置。
【請求項４】
平面上で見たとき、前記第１−１電極と前記第２−１電極は前記第２方向に沿って延長され、
平面上で見たとき、前記第１−２電極と前記第２−２電極は前記第１方向に沿って延長されることを特徴とする請求項３に記載の発光装置。
【請求項５】
前記第１−１電極と前記第２−１電極の間の間隔は、前記第１−２電極と前記第２−２電極の間の間隔と同じであることを特徴とする請求項４に記載の発光装置。
【請求項６】
前記基板上において前記第１方向に延長され、前記第１整列配線と前記第１電極を電気的に連結する第１連結配線と、
前記基板上において前記第１連結配線と平行に延長され、前記第２整列配線と前記第２電極を電気的に連結する第２連結配線と、をさらに含むことを特徴とする請求項５に記載の発光装置。
【請求項７】
前記第１−１電極は前記第１連結配線から前記第２方向に沿って前記第１サブ発光領域に分岐され、
前記第２−１電極は前記第２連結配線から前記第２方向に沿って前記第１サブ発光領域に分岐され、
前記第１−１電極と前記第２−１電極は前記第１サブ発光領域において前記第１方向に沿って交互に配置されることを特徴とする請求項６に記載の発光装置。
【請求項８】
前記第１−２電極は前記第１整列配線から前記第１方向に沿って前記第２サブ発光領域に分岐され、
前記第２−２電極は前記第２整列配線から前記第１方向に沿って前記第２サブ発光領域に分岐され、
前記第１−２電極と前記第２−２電極は前記第２サブ発光領域において前記第２方向に沿って交互に配置されることを特徴とする請求項６に記載の発光装置。
【請求項９】
前記第１連結配線は前記第１整列配線に連結された一側端部と前記一側端部に対向する他側端部を含み、
前記他側端部は丸い形状であることを特徴とする請求項６に記載の発光装置。
【請求項１０】
前記第１−２及び第２−２電極のうち前記第２サブ発光領域の最上側に配置された１つの電極と前記第１連結配線の間の間隔は、前記第１−２電極と前記第２−２電極の間の間隔より大きいことを特徴とする請求項６に記載の発光装置。
【請求項１１】
前記基板と前記第１電極の間に提供される第１バンクと、
前記基板と前記第２電極の間に提供され、前記第１バンクと一定間隔離隔された第２バンクと、
前記第１電極上に提供され、対応する発光素子の第１及び第２端部の何れか１つの端部と前記第１電極を連結する第１コンタクト電極と、
前記第２電極上に提供され、前記対応する発光素子の残り１つの端部と前記第２電極を連結する第２コンタクト電極と、をさらに含むことを特徴とする請求項２に記載の発光装置。
【請求項１２】
前記基板と前記第１及び第２発光素子の間に配置された第１絶縁層と、
前記第１及び第２発光素子上に提供され、前記第１及び第２発光素子のそれぞれの第１及び第２端部を露出させる第２絶縁層と、
前記第１コンタクト電極上に提供されて前記第１コンタクト電極をカバーする第３絶縁層と、
前記第２コンタクト電極上に提供されて前記第２コンタクト電極をカバーする第４絶縁層と、をさらに含むことを特徴とする請求項１１に記載の発光装置。
【請求項１３】
平面上で見たとき、前記第１整列配線の一部と重畳する第１絶縁パターンと前記第２整列配線の一部と重畳する第２絶縁パターンをさらに含み、
前記第１及び第２絶縁パターンは前記第１絶縁層と同じ層に提供され、前記第１及び第２電極の間に形成される電界の一部を遮蔽させることを特徴とする請求項１２に記載の発光装置。
【請求項１４】
前記第１絶縁パターン上に提供された第１導電パターン及び前記第２絶縁パターン上に提供された第２導電パターンをさらに含み、
前記第１及び第２導電パターンは前記第１コンタクト電極と同じ層に提供されることを特徴とする請求項１３に記載の発光装置。
【請求項１５】
前記第１整列配線は前記第１電極と同じ層に提供され、前記第１電極と一体で提供され、
前記第２整列配線は前記第２電極と同じ層に提供され、前記第２電極と一体で提供されることを特徴とする請求項１に記載の発光装置。
【請求項１６】
前記第１電極は前記第１整列配線から前記第１方向に沿って突出した複数個の枝電極を含み、
前記第２電極は前記第２方向に沿って配列された複数個の突出電極及び隣接する突出電極の間に提供された複数個の空洞を含み、
前記枝電極のそれぞれは１つの空洞に対応するように提供されることを特徴とする請求項１５に記載の発光装置。
【請求項１７】
前記第１電極と前記第２電極は電気的に分離され、前記第１及び第２電極のうち１つの電極は他の１つの電極の周りを取り囲む形状であることを特徴とする請求項１に記載の発光装置。
【請求項１８】
前記第１及び第２発光素子のそれぞれは、
第１導電性ドーパントがドープされた第１半導体層と、
第２導電性ドーパントがドープされた第２半導体層と、
前記第１半導体層と前記第２半導体層の間に提供された活性層と、を含むことを特徴とする請求項１７に記載の発光装置。
【請求項１９】
前記第１及び第２発光素子のそれぞれは、マイクロスケールまたはナノスケールを有する円柱状あるいは多角柱状の発光ダイオードを含むことを特徴とする請求項１８に記載の発光装置。
【請求項２０】
表示領域及び非表示領域を含む基板と、
前記表示領域に提供され、少なくとも１つのトランジスタを含む画素回路部と、
前記画素回路部上に提供され、光が出射される複数の単位発光領域を備える表示素子層と、を含み、
前記表示素子層は、
前記画素回路部上に提供され、第１方向に第１端部と第２端部を有する少なくとも１つの第１発光素子と、
前記第１方向と交差する第２方向に第１端部と第２端部を有する少なくとも１つの第２発光素子と、
前記画素回路部上に提供され、前記第１及び第２発光素子のそれぞれの第１及び第２端部の何れか１つに連結された第１電極と、残り１つに連結された第２電極と、
前記画素回路部上において前記第２方向に沿って延長され、前記第１電極に連結された第１整列配線と、
前記第１整列配線と一定間隔離隔され、前記第２電極に連結された第２整列配線と、
前記第１電極上に提供され、対応する発光素子の第１及び第２端部の何れか１つの端部と前記第１電極を連結する第１コンタクト電極と、
前記第２電極上に提供され、前記対応する発光素子の残り１つの端部と前記第２電極を連結する第２コンタクト電極と、を含むことを特徴とする表示装置。
【手続補正２】
【補正対象書類名】図面
【補正対象項目名】図９
【補正方法】変更
【補正の内容】
【図９】
2021529999.tif 000035
【手続補正３】
【補正対象書類名】明細書
【補正対象項目名】００１５
【補正方法】変更
【補正の内容】
【００１５】
本発明の一実施例によると、上記発光装置は、上記基板と上記第１電極の間に提供される第１隔壁(またはバンク)と、上記基板と上記第２電極の間に提供され、上記第１隔壁と一定間隔離隔された第２隔壁(またはバンク)と、上記第１電極上に提供され、対応する発光素子の第１及び第２端部の何れか１つの端部と上記第１電極を連結する第１コンタクト電極と、上記第２電極上に提供され、上記対応する発光素子の残り１つの端部と上記第２電極を連結する第２コンタクト電極と、をさらに含んでもよい。
【手続補正４】
【補正対象書類名】明細書
【補正対象項目名】００２２
【補正方法】変更
【補正の内容】
【００２２】
本発明の一実施例によると、上記第１及び第２発光素子のそれぞれは、第１導電性ドーパントがドープされた第１導電性半導体層(または半導体層)と、第２導電性ドーパントがドープされた第２導電性半導体層(または半導体層)と、上記第１導電性半導体層と上記第２導電性半導体層の間に提供された活性層と、を含んでもよい。
【手続補正５】
【補正対象書類名】明細書
【補正対象項目名】００３２
【補正方法】変更
【補正の内容】
【００３２】
図１は本発明の一実施例による棒状発光ダイオードを示した斜視図である。図１には円柱状の棒状発光ダイオードＬＤを示したが、本発明はこれに限定されない。棒状発光ダイオードＬＤは発光素子である。
【手続補正６】
【補正対象書類名】明細書
【補正対象項目名】００３３
【補正方法】変更
【補正の内容】
【００３３】
図１を参照すると、本発明の一実施例による棒状発光ダイオード(または発光素子)ＬＤは、第１導電性半導体層１１と、第２導電性半導体層１３と、上記第１及び第２導電性半導体層１１、１３との間に介在された活性層１２と、を含んでもよい。
【手続補正７】
【補正対象書類名】明細書
【補正対象項目名】００５９
【補正方法】変更
【補正の内容】
【００５９】
上記第１駆動電源ＶＤＤ及び上記第２駆動電源ＶＳＳは、互いに異なる電位を有してもよい。例えば、上記第２駆動電源ＶＳＳは、上記第１駆動電源ＶＤＤの電位より上記棒状ＬＥＤＬＤのしきい電圧以上低い電位を有することができる。
【手続補正８】
【補正対象書類名】明細書
【補正対象項目名】００９７
【補正方法】変更
【補正の内容】
【００９７】
上記第１電極ＲＥＬ１は、対応する棒状ＬＥＤＬＤの両端部ＥＰ１、ＥＰ２の何れか１つの端部に隣接して配置され、上記第２電極ＲＥＬ２は、上記対応する棒状ＬＥＤＬＤの両端部ＥＰ１、ＥＰ２のうち残り１つの端部に隣接して配置されてもよい。
【手続補正９】
【補正対象書類名】明細書
【補正対象項目名】０１５４
【補正方法】変更
【補正の内容】
【０１５４】
上記第２−２コンタクト電極ＣＮＥ２＿２は、平面上で見たとき、上記第２−２棒状ＬＥＤＬＤ２−２の第１端部ＥＰ１と上記第２−２電極ＲＥＬ２＿２に重畳されてもよい。また、上記第２−２コンタクト電極ＣＮＥ２＿２は、上記第２−１棒状ＬＥＤＬＤ２＿１の第２端部ＥＰ２に重畳されてもよい。
【手続補正１０】
【補正対象書類名】明細書
【補正対象項目名】０１８５
【補正方法】変更
【補正の内容】
【０１８５】
さらに、本発明の一実施例では、上記第２−２電極ＲＥＬ２＿２のそれぞれと上記第１整列配線ＡＲＬ１の間の間隔ｄ４を上記第１−２及び第２−２電極ＲＥＬ１＿２、ＲＥＬ２＿２の間の間隔ｄ２より大きく設計することができる。
【手続補正１１】
【補正対象書類名】明細書
【補正対象項目名】０１９７
【補正方法】変更
【補正の内容】
【０１９７】
平面上で見たとき、上記第１絶縁パターンＩＮＳＰ１は、上記第１整列配線ＡＲＬ１及び上記第１−２電極ＲＥＬ１＿２と重畳するように提供されてもよく、上記第２絶縁パターンＩＮＳＰ２は、上記第２整列配線
【手続補正１２】
【補正対象書類名】明細書
【補正対象項目名】０１９８
【補正方法】変更
【補正の内容】
【０１９８】
上記第１絶縁パターンＩＮＳＰ１は上記第１整列配線ＡＲＬ１の延長された方向に沿って延長され、上記第２絶縁パターンＩＮＳＰ２は上記第２整列配線ＡＲＬ２の延長された方向に沿って延長されてもよい。
【手続補正１３】
【補正対象書類名】明細書
【補正対象項目名】０２０３
【補正方法】変更
【補正の内容】
【０２０３】
図８及び図９に示した発光装置は、第１絶縁パターン上に第１遮蔽導電パターンが提供され、第２絶縁パターン上に第２遮蔽導電パターンが提供される点を除き、図６の発光装置と実質的に同一または類似する構成を有することができる。
【手続補正１４】
【補正対象書類名】明細書
【補正対象項目名】０２７０
【補正方法】変更
【補正の内容】
【０２７０】
上記第２連結配線ＣＮＬ２は、上記第２整列配線ＡＲＬ２に連結されて上記第２整列配線ＡＲＬ２の第２整列電圧を上記第２−１電極ＲＥＬ２＿１に伝達することができる。上記第２連結配線ＣＮＬ２は上記第２整列配線ＡＲＬ２に一体で提供され、同じ層に配置されてもよい。
【手続補正１５】
【補正対象書類名】明細書
【補正対象項目名】０２７５
【補正方法】変更
【補正の内容】
【０２７５】
上記第１−２電極ＲＥＬ１＿２は、上記第１整列配線ＡＲＬ１から上記第１方向ＤＲ１に分岐され、上記第２サブ発光領域ＳＥＭＡ２内に複数個で提供されてもよい。
【手続補正１６】
【補正対象書類名】明細書
【補正対象項目名】０２９２
【補正方法】変更
【補正の内容】
【０２９２】
上記第１及び第３サブ画素ＳＰ１、ＳＰ３のそれぞれの第１サブ発光領域ＳＥＭＡ１において、上記第１棒状ＬＥＤＬＤ１は上記第１方向ＤＲ１に整列されてもよい。上記第２サブ画素ＳＰ２の第２サブ発光領域ＳＥＭＡ２において、上記第１棒状ＬＥＤＬＤ１は上記第１方向ＤＲ１に整列されてもよい。
【手続補正１７】
【補正対象書類名】明細書
【補正対象項目名】０２９３
【補正方法】変更
【補正の内容】
【０２９３】
上記第１及び第３サブ画素ＳＰ１、ＳＰ３のそれぞれの第２サブ発光領域ＳＥＭＡ２において、上記第２棒状ＬＥＤＬＤ２は上記第２方向ＤＲ２に整列されてもよい。上記第２サブ画素ＳＰ２の第１サブ発光領域ＳＥＭＡ１において、上記第２棒状ＬＥＤＬＤ２は上記第２方向ＤＲ２に整列されてもよい。
【手続補正１８】
【補正対象書類名】明細書
【補正対象項目名】０３０４
【補正方法】変更
【補正の内容】
【０３０４】
上記第２サブ発光領域ＳＥＭＡ２において、上記第１−２電極ＲＥＬ１＿２は第３コンタクトホールＨ３を介して上記第１整列配線ＡＲＬ１に連結され、上記第２−２電極ＲＥＬ２＿２は第４コンタクトホールＨ４を介して上記第２整列配線ＡＲＬ２に連結されてもよい。
【手続補正１９】
【補正対象書類名】明細書
【補正対象項目名】０３２４
【補正方法】変更
【補正の内容】
【０３２４】
上記第１電極ＲＥＬ１は、上記第１整列配線ＡＲＬ１から分岐された第１−１及び第１−２電極ＲＥＬ１＿１、ＲＥＬ１＿２を含んでもよい。上記第２電極ＲＥＬ２は、上記第２整列配線ＡＲＬ２から分岐された第２−１及び第２−２電極ＲＥＬ２＿１、ＲＥＬ２＿２を含んでもよい。
【手続補正２０】
【補正対象書類名】明細書
【補正対象項目名】０３３０
【補正方法】変更
【補正の内容】
【０３３０】
上記第１サブ発光領域ＳＥＭＡ１における上記第１−１及び第２−１電極ＲＥＬ１＿１、ＲＥＬ２＿１の間の間隔ｄ１と上記第２サブ発光領域ＳＥＭＡ２における上記第１−２及び第２−２電極ＲＥＬ１＿２、ＲＥＬ２＿２の間の間隔ｄ２は、同一に設計されてもよい。
【国際調査報告】
2021529999.tif 000036
2021529999.tif 000037
2021529999.tif 000038
2021529999.tif 000039